(57)【要約】      （修正有）【課題】ＬＴＥ−Ｕにおいてクリアチャネルアセスメント（ＣＣＡ）を実行する方法を提供する。【解決手段】送信は、ＣＣＡのために確保されたリソースにおいてモニタされる。送信のエネルギーが、ＣＣＡのために確保されたリソースにおいて割り当てられたスロットよりも短い持続時間にわたって検出される。モニタすることに基づいてクリアチャネルを検出することに応答して、ＣＣＡのためにワイヤレスエンティティに割り当てられたスロットで、ビーコン（ＣＵＢＳ）が送信される。連続したいくつかのＣＣＡ期間の間に送信を検出することに応答して、ＣＣＡのためのビーコン送信およびモニタすることのためのタイミングが適合されてもよい。さらに、モニタすることに基づいてクリアチャネルを検出することに応答して、ＣＣＡのために移動局に割り当てられたスロットでのビーコンの送信のために最大電力に調整する。【選択図】図５
2019013010.tif 000002
【特許請求の範囲】
【請求項１】
ＬＴＥ−Ｕにおいてクリアチャネルアセスメント（ＣＣＡ）を実行するための方法であって、
ＣＣＡのために確保されたリソースでの送信のためにモニタすることと、
ＣＣＡのために確保された前記リソースにおける割り当てられたスロットよりも短い持続時間にわたる前記送信のエネルギーを検出することと
を備える方法。
【請求項２】
前記より短い持続時間は、前記割り当てられたスロットの両端の少なくとも１つのガード期間に基づく、
請求項１に記載の方法。
【請求項３】
前記モニタすることに基づいてクリアチャネルを検出することに応答して、ＣＣＡのためにワイヤレスエンティティに割り当てられたスロットでビーコンを送信すること
をさらに備える、請求項１に記載の方法。
【請求項４】
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
請求項１に記載の方法。
【請求項５】
連続した多数のＣＣＡ期間の間に前記送信を検出することに応答して、ＣＣＡのためのビーコン送信および前記モニタすることのためのタイミングを適合させること
をさらに備える、請求項１に記載の方法。
【請求項６】
前記ビーコン送信を適合させることは、ＣＣＡのために確保された予備リソースで前記ビーコンを送信することを備える、
請求項５に記載の方法。
【請求項７】
ＰＬＭＮ内ノードによるブロッキングを決定するために、検出された送信のタイミングにバイアスをかけること
をさらに備える、請求項５に記載の方法。
【請求項８】
前記モニタすることに基づいてクリアチャネルを検出することに応答して、ＣＣＡのために移動局に割り当てられたスロットでのビーコンの送信のために最大電力に調整することをさらに備える、
請求項１に記載の方法。
【請求項９】
ＬＴＥ−Ｕにおいてクリアチャネルアセスメント（ＣＣＡ）を実行するための装置であって、
ＣＣＡのために確保されたリソースでの送信のためにモニタするための手段と、
ＣＣＡのために確保された前記リソースにおける割り当てられたスロットよりも短い持続時間にわたる前記送信のエネルギーを検出するための手段と
を備える装置。
【請求項１０】
前記より短い持続時間は、前記割り当てられたスロットの両端の少なくとも１つのガード期間に基づいている、
請求項９に記載の装置。
【請求項１１】
前記モニタすることに基づいてクリアチャネルを検出することに応答して、ＣＣＡのためにワイヤレスエンティティに割り当てられたスロットでビーコンを送信するための手段をさらに備える、
請求項９に記載の装置。
【請求項１２】
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
請求項９に記載の装置。
【請求項１３】
連続したいくつかのＣＣＡ期間の間に前記送信を検出することに応答して、ＣＣＡのためのビーコン送信および前記モニタすることのためのタイミングを適合させるための手段
をさらに備える、
請求項９に記載の装置。
【請求項１４】
前記ビーコン送信を適合させることは、ＣＣＡのために確保された予備リソースで前記ビーコンを送信することを備える、
請求項１３に記載の装置。
【請求項１５】
ＰＬＭＮ内ノードによるブロッキングを決定するために、検出された送信のためのタイミングにバイアスをかけるための手段をさらに備える、
請求項１３に記載の装置。
【請求項１６】
前記モニタすることに基づいてクリアチャネルを検出することに応答して、ＣＣＡのために移動局に割り当てられたスロットでのビーコンの送信のために最大電力に調整するための手段をさらに備える、
請求項９に記載の装置。
【請求項１７】
ＬＴＥ−Ｕにおいてクリアチャネルアセスメント（ＣＣＡ）を実行するための装置であって、
ＣＣＡのために確保されたリソースでの送信をモニタするために構成された少なくとも１つのトランシーバと、
ＣＣＡのために確保された前記リソースにおける割り当てられたスロットよりも短い持続時間にわたる前記送信のエネルギーを検出するために構成された少なくとも１つのプロセッサと、
前記少なくとも１つのプロセッサに結合された、データを記憶するためのメモリと
を備える装置。
【請求項１８】
前記より短い持続時間は、前記割り当てられたスロットの両端の少なくとも１つのガード期間に基づいている、
請求項１７に記載の装置。
【請求項１９】
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
請求項１７に記載の装置。
【請求項２０】
前記少なくとも１つのトランシーバは、前記モニタすることに基づいてクリアチャネルを検出することに応答して、ＣＣＡのためにワイヤレスエンティティに割り当てられたスロットでビーコンを送信するためにさらに構成される、
請求項１７に記載の装置。
【請求項２１】
前記少なくとも１つのプロセッサは、連続したいくつかのＣＣＡ期間の間に前記送信を検出することに応答して、ＣＣＡのためのビーコン送信および前記モニタすることのためのタイミングを適合させるためにさらに構成される、
請求項１７に記載の装置。
【請求項２２】
前記ビーコン送信を適合させることは、ＣＣＡのために確保された予備リソースで前記ビーコンを送信することを備える、
請求項２１に記載の装置。
【請求項２３】
前記少なくとも１つのプロセッサは、ＰＬＭＮ内ノードによるブロッキングを決定するために検出された送信のタイミングにバイアスをかけるためにさらに構成される、
請求項２１に記載の装置。
【請求項２４】
前記少なくとも１つのプロセッサは、前記モニタすることに基づいてクリアチャネルを検出することに応答して、ＣＣＡのために移動局に割り当てられたスロットでのビーコンの送信のために最大電力に調整するためにさらに構成される、
請求項１７に記載の装置。
【請求項２５】
コンピュータプログラム製品であって、
少なくとも１つのコンピュータに、
クリアチャネルアセスメント（ＣＣＡ）のために確保されたリソースでの送信をモニタすることと、
ＣＣＡのために確保された前記リソースにおける割り当てられたスロットよりも短い持続時間にわたる前記送信のエネルギーを検出することと
を行わせるためのコードを記憶するコンピュータ可読媒体を備える、
コンピュータプログラム製品。
【請求項２６】
前記より短い持続時間は、前記割り当てられたスロットの両端の少なくとも１つのガード期間に基づいている、
請求項２５に記載のコンピュータプログラム製品。
【請求項２７】
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
請求項２５に記載のコンピュータプログラム製品。
【請求項２８】
前記コンピュータ可読媒体は、前記少なくとも１つのコンピュータに、
前記モニタすることに基づいてクリアチャネルを検出することに応答して、ＣＣＡのためにワイヤレスエンティティに割り当てられたスロットでビーコンを送信することを行わせるためのコードをさらに記憶する、
請求項２５に記載のコンピュータプログラム製品。
【請求項２９】
前記コンピュータ可読媒体は、前記少なくとも１つのコンピュータに、
前記モニタすることに基づいて連続したいくつかのＣＣＡ期間の間に前記送信を検出することに応答して、ＣＣＡのためのビーコン送信および前記モニタすることのためのタイミングを適合することを行わせるためのコードをさらに記憶する、
請求項２５に記載のコンピュータプログラム製品。
【請求項３０】
前記ビーコン送信を適合させることは、ＣＣＡのために確保された予備リソースで前記ビーコン送信を送信することを備える、
請求項２９に記載のコンピュータプログラム製品。
【請求項３１】
前記コンピュータ可読媒体は、前記少なくとも１つのコンピュータに、
ＰＬＭＮ内ノードによるブロッキングを決定するために、検出された送信のタイミングにバイアスをかけることを行わせるためのコードをさらに記憶する、
請求項２５に記載のコンピュータプログラム製品。
【請求項３２】
前記コンピュータ可読媒体が、前記少なくとも１つのコンピュータに、
前記モニタすることに基づいてクリアチャネルを検出することに応答して、ＣＣＡのために移動局に割り当てられたスロットでのビーコンの送信のために最大電力に調整することを行わせるためのコードをさらに記憶する、
請求項２５に記載のコンピュータプログラム製品。
【請求項３３】
アクセスポイントがＬＴＥ−Ｕにおいてタイミングアドバンスを実行するための方法であって、
少なくとも１つの移動局から、前記少なくとも１つの移動局からのタイミング情報を備える少なくとも１つのメッセージを受信することと、
前記受信したタイミング情報を使用して、前記少なくとも移動局間のタイミング差を減少させることに基づいて、前記少なくとも１つの移動局のためにチャネル使用ビーコン信号（ＣＵＢＳ）送信および関連するクリアチャネルアセスメント（ＣＣＡ）ウィンドウのための少なくとも１つのタイミングアドバンスパラメータを決定することと
を備える方法。
【請求項３４】
前記受信することは、ランダムアクセスプリアンブルを受信すること、または前記タイミング情報を備える少なくとも１つのＲｘ−Ｔｘタイミング差レポートを受信することのうちの少なくとも１つを備える、
請求項３３に記載の方法。
【請求項３５】
ＣＵＢＳの前記送信タイミングは、ＰＵＳＣＨの前記送信タイミングとは異なり、前記方法は、
同じ移動局に少なくとも２つのタイミングアドバンスコマンドを送信することをさらに備える、
請求項３３に記載の方法。
【請求項３６】
ＣＵＳＢの前記送信タイミングは、ＰＵＳＣＨからの送信タイミングと同じである、
請求項３３に記載の方法。
【請求項３７】
前記アクセスポイントで、ＬＴＥ−ＵにおいてＣＣＡを実行する必要がある移動局のためにアップリンク電力制御を実行することをさらに備え、前記実行することは、
ＣＣＡ電力しきい値に基づいたＣＵＢＳ送信のためのターゲット受信電力、および近隣アクセスポイントの移動局に基づいた電力マージンを決定することと、
ＣＵＢＳ送信のために推定パスロスに応じて送信電力のスロープを決定することと、
前記決定されたターゲット受信電力、および前記決定されたスロープを前記移動局に送ることと
を備える、請求項３３に記載の方法。
【請求項３８】
前記電力マージンは、アンテナ利得差にパスロス差を加えたものにさらに基づく、
請求項３７に記載の方法。
【請求項３９】
前記スロープは、ＣＵＢＳ送信が小さいパスロスを持つ、および大きいパスロスを持つ移動局に対して同様の電力レベルを有するように決定される、
請求項３７に記載の方法。
【請求項４０】
前記スロープは、ＣＵＢＳ送信がより小さいパスロスを持つ移動局に対してより高い電力を有するように決定される、
請求項３７に記載の方法。
【請求項４１】
ＬＴＥ−Ｕにおいてタイミングアドバンスを実行するための装置であって、
少なくとも１つの移動局から、前記少なくとも１つの移動局からのタイミング情報を備える少なくとも１つのメッセージを受信するための手段と、
前記受信したタイミング情報を使用して、前記少なくとも移動局間のタイミング差を減少させることに基づいて、前記少なくとも１つの移動局のためにチャネル使用ビーコン信号（ＣＵＢＳ）送信および関連するＣＣＡウィンドウのための少なくとも１つのタイミングアドバンスパラメータを決定するための手段と
を備える装置。
【請求項４２】
ＬＴＥ−ＵにおいてクリアチャネルアセスメントＣＣＡを実行する必要がある移動局のためにアップリンク電力制御を実行するための手段をさらに含み、前記実行するための手段は、
ＣＣＡ電力しきい値に基づいたＣＵＢＳ送信のためのターゲット受信電力、および近隣アクセスポイントの移動局に基づいた電力マージンを決定するための手段と、
ＣＵＢＳ送信のために推定パスロスに応じて送信電力のスロープを決定するための手段と、
前記決定されたターゲット受信電力、および前記決定されたスロープを前記移動局に送るための手段と
を備える、請求項４１に記載の装置。
【請求項４３】
ＬＴＥ−Ｕにおいてタイミングアドバンスを実行するための装置であって、
少なくとも１つの移動局から、前記少なくとも１つの移動局からのタイミング情報を備える少なくとも１つのメッセージを受信するために構成された少なくとも１つのトランシーバと、
前記受信したタイミング情報を使用して、前記少なくとも移動局間のタイミング差を減少させることに基づいて、前記少なくとも１つの移動局のためにチャネル使用ビーコン信号（ＣＵＢＳ）送信および関連するＣＣＡウィンドウのための少なくとも１つのタイミングアドバンスパラメータを決定するために構成された少なくとも１つのプロセッサと、
前記少なくとも１つのプロセッサに結合された、データを記憶するためのメモリと
を備える装置。
【請求項４４】
前記少なくとも１つのプロセッサは、ＬＴＥ−ＵにおいてクリアチャネルアセスメントＣＣＡを実行する必要がある移動局のためにアップリンク電力制御を実行するためにさらに構成され、前記実行することは、
ＣＣＡ電力しきい値に基づいたＣＵＢＳ送信のためのターゲット受信電力、および近隣アクセスポイントの移動局に基づいた電力マージンを決定することと、ＣＵＢＳ送信のために推定パスロスに応じて送信電力のスロープを決定することと
を備える、請求項４３に記載の装置。
【請求項４５】
前記少なくとも１つのトランシーバは、前記決定されたターゲット受信電力と、前記決定されたスロープとを前記移動局に送るためにさらに構成される、
請求項４４に記載の装置。
【請求項４６】
コンピュータプログラム製品であって、
少なくとも１つのコンピュータに、
少なくとも１つの移動局から、前記少なくとも１つの移動局からのタイミング情報を備える少なくとも１つのメッセージを受信することと、
前記受信したタイミング情報を使用して、前記少なくとも移動局間のタイミング差を減少させることに基づいて、前記少なくとも１つの移動局のためにチャネル使用ビーコン信号（ＣＵＢＳ）送信および関連するＣＣＡウィンドウのための少なくとも１つのタイミングアドバンスパラメータを決定することと
を行わせるためのコードを記憶するコンピュータ可読媒体を備える、
コンピュータプログラム製品。
【請求項４７】
前記コンピュータ可読媒体は、前記少なくとも１つのコンピュータに、
ＣＣＡ電力しきい値に基づいたＣＵＢＳ送信のためのターゲット受信電力、および近隣アクセスポイントの移動局に基づいた電力マージンを決定することと、
ＣＵＢＳ送信のために推定パスロスに応じて送信電力のスロープを決定することと、
前記決定されたターゲット受信電力、および前記決定されたスロープを前記移動局に送ることと
を行わせるためのコードをさらに記憶する、請求項４６に記載のコンピュータプログラム製品。
【発明の詳細な説明】
【関連出願の相互参照】
【０００１】
[0001]本出願は、米国特許法第１１９条（ｅ）に従って、２０１３年１０月７日に出願された米国特許仮出願第６１／８８７、９２２号に基づく優先権を主張し、これによりその全体を参照により組み込まれる。
【技術分野】
【０００２】
[0002]本開示の態様は、一般にワイヤレス通信システムに関し、より詳細には、無認可帯域のＬＴＥ（登録商標）（「ＬＴＥ−Ｕ」）クリアチャネルアセスメント（ＣＣＡ）を使用する送信のための方法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることのできる多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークが含まれる。
【０００４】
[0004]ワイヤレス通信ネットワークは、たとえば、移動局（ＳＴＡ）、ラップトップ、セルフォン、ＰＤＡ、タブレットなど、いくつかのモバイルデバイスのための通信をサポートすることができるいくつかのアクセスポイントを含み得る。ＳＴＡが、ダウンリンク（ＤＬ）およびアップリンク（ＵＬ）を介してアクセスポイントと通信することができる。ＤＬ（または順方向リンク）は、アクセスポイントからＳＴＡへの通信リンクを指し、ＵＬ（または逆方向リンク）は、ＳＴＡからアクセスポイントへの通信リンクを指す。
【発明の概要】
【０００５】
[0005]ＬＴＥ−Ｕ技法においてクリアチャネルアセスメント（ＣＣＡ）を実行するための方法、装置、およびシステムについて、詳細な説明において説明し、いくつかの態様について、以下に概要を述べる。この概要および次の詳細な説明は、統合的開示の相補部分として解釈されるべきであり、この部分は、重複する主題および／または補足的主題を含み得る。どちらかのセクションにおける省略は、統合的応用例において説明される任意の要素の優先度または相対的重要度を示すものではない。セクション間の差は、それぞれの開示から明らかとなるように、代替的実施形態の補足的開示、追加の詳細、または異なる用語を使用した同一の実施形態の代替的説明を含み得る。
【０００６】
[0006]一態様では、ＬＴＥ−Ｕにおいてクリアチャネルアセスメント（ＣＣＡ）を行うための方法が提供される。この方法は、ＣＣＡのために確保されたリソースでの送信のためにモニタすることと、ＣＣＡのために確保されたリソースにおける割り当てられたスロットよりも短い持続時間にわたる送信のエネルギーを検出することとを含み得る。より短い持続時間は、割り当てられたスロットの両端の少なくとも１つのガード期間に基づき得る。この方法は、モニタすることに基づいてクリアチャネルを検出することに応答して、ＣＣＡのためにワイヤレスエンティティに割り当てられたスロットでビーコンを送信することをさらに含み得る。送信は、直交周波数分割多重（ＯＦＤＭ）シンボル境界の前に第１の所定時間オフセットされたオフタイム期間と、ＯＦＤＭシンボル境界の後に第２の所定時間オフセットされたオン期間とを有するタイミングマスクに従うことができる。この方法はさらに、連続したいくつかのＣＣＡ期間の間に送信を検出することに応答して、ＣＣＡのためのビーコン送信およびモニタすることのためのタイミングを適合させることを含み得る。ビーコン送信を適合させることはさらに、ＣＣＡのために確保された予備リソースでビーコンを送信することを含み得る。この方法はさらに、ＰＬＭＮ内ノードによるブロッキングを決定するために、検出された送信のタイミングにバイアスをかけることを含み得る。さらなる態様では、方法は、モニタすることに基づいてクリアチャネルを検出することに応答して、ＣＣＡのために移動局に割り当てられたスロットでのビーコンの送信のために最大電力に調整することを含み得る。
【０００７】
[0007]別の態様では、ＬＴＥ−Ｕにおいてアクセスポイントがタイミングアドバンスを行うための方法が提供され得る。この方法は、少なくとも１つの移動局から、少なくとも１つの移動局からのタイミング情報を備えた少なくとも１つのメッセージを受信することと、少なくとも移動局間のタイミング差を減少させることに基づいて少なくとも１つの移動局のために、受信したタイミング情報を使用して、チャネル使用ビーコン信号（ＣＵＢＳ）送信および関連するクリアチャネルアセスメント（ＣＣＡ）ウィンドウのための少なくとも１つのタイミングアドバンスパラメータを決定することとを含み得る。受信することは、ランダムアクセスプリアンブルを受信すること、またはタイミング情報を備えた少なくとも１つのＲｘ−Ｔｘタイミング差レポートを受信することのうちの少なくとも１つを含み得る。ＣＵＢＳの送信タイミングは、ＰＵＳＣＨの送信タイミングとは異なり得る。この方法はさらに、同じ移動局に少なくとも２つのタイミングアドバンスコマンドを送信することを含み得る。ＣＵＢＳの送信タイミングは、ＰＵＳＣＨからの送信タイミングと同じであり得る。
【０００８】
[0008]さらなる態様では、アクセスポイントで、ＬＴＥ−ＵにおいてＣＣＡを行うことを必要とする移動局のためにアップリンク電力制御を行うための方法が提供され得る。この方法は、ＣＣＡ電力しきい値に基づいたＣＵＢＳ送信のためのターゲット受信電力と、近隣アクセスポイントの移動局に基づいた電力マージンとを決定することを含み得る。この方法はさらに、ＣＵＢＳ送信のために推定パスロスに応じて送信電力のスロープを決定することを含み得る。この方法はまた、決定されたターゲット受信電力と、決定されたスロープとを移動局に送ることを含み得る。電力マージンはさらに、アンテナ利得差にパスロス差を加えたものに基づかれ得る。スロープは、ＣＵＢＳ送信が小さいパスロスのある、および大きいパスロスのある移動局に対して同様の電力レベルを有するように決定され得る。さらに、スロープは、ＣＵＢＳ送信がより小さいパスロスのある移動局に対してより高い電力を有するように決定され得る。
【０００９】
[0009]関係する態様では、上記で要約した方法と方法の態様とのいずれかを実行するためのワイヤレス通信装置が提供され得る。装置は、たとえば、メモリに結合されたプロセッサを含み得、ここにおいて、メモリは、上記で説明した動作を装置に実行させるためにプロセッサが実行するための命令を保持する。そのような装置のいくつかの態様（たとえば、ハードウェア態様）は、ワイヤレス通信のために使用される様々なタイプのモバイルエンティティまたは基地局などの機器によって例示され得る。同様に、プロセッサによって実行されたとき、上記方法および上記で要約した方法の態様をワイヤレス通信装置に実行させる、符号化された命令を保持する非一時的コンピュータ可読媒体を含む、製造品が提供され得る。
【００１０】
[0010]前述の方法の動作のすべては、本明細書の他所でより詳細に説明する構成要素を使用して、ワイヤレス通信システムの１つまたは複数のネットワークエンティティによって実行され得る。
【図面の簡単な説明】
【００１１】
【図１】電気通信システムの一例を概念的に示すブロック図。
【図２】電気通信システムにおけるダウンリンクフレーム構造の一例を示すブロック図。
【図３】本開示の一態様により構成された基地局／ｅＮＢおよびＵＥの設計を示すブロック図。
【図４Ａ】連続キャリアアグリゲーションタイプを開示する図。
【図４Ｂ】非連続キャリアアグリゲーションタイプを開示する図。
【図５】ダウンリンクサブフレーム構造における例示的なクリアチャネルアセスメント（ＣＣＡ）配置オプションを示す図。
【図６】例示的な時分割複信（ＴＤＤ）フレーム構造におけるＣＣＡ配置オプションを示す図。
【図７】例示的なワイヤレス通信システムにおけるＣＣＡを示す図。
【図８】タイミングオフセットを有する２つのノードに対するＣＣＡを示す図。
【図９】別のタイミングオフセットを有する２つのノードに対するＣＣＡを示す図。
【図１０】シフトされたタイミングマスクを示す図。
【図１１】ＬＴＥ−ＵにおけるＣＣＡのための方法の実施形態を示す図。
【図１２】ＬＴＥ−ＵにおけるＣＣＡのための方法の別の実施形態を示す図。
【図１３】ＬＴＥ−Ｕにおけるタイミングアドバンスのための方法の実施形態を示す図。
【図１４】ＬＴＥ−ＵにおけるＣＣＡのための方法のさらに別の実施形態を示す図。
【図１５】ＬＴＥ−ＵにおけるＣＣＡのための方法のさらに別の実施形態を示す図。
【図１６】ＬＴＥ−ＵにおけるＣＣＡのための方法のさらに別の実施形態を示す図。
【図１７】図１１の方法を実施するための例示的な装置を示す図。
【図１８】図１２の方法を実施するための例示的な装置を示す図。
【図１９】図１３の方法を実施するための例示的な装置を示す図。
【図２０】図１４の方法を実施するための例示的な装置を示す図。
【図２１】図１５の方法を実施するための例示的な装置を示す図。
【図２２】図１６の方法を実施するための例示的な装置を示す図。
【発明を実施するための形態】
【００１２】
[0034]添付の図面に関して以下に記載する詳細な説明は、様々な構成を説明するものであり、本明細書で説明する概念が実施され得る唯一の構成を表すものではない。詳細な説明は、様々な概念の完全な理解を提供する目的のための特定の詳細を含む。しかしながら、これらの概念がこれらの特定の詳細なしに実施され得ることは、当業者には明らかであろう。いくつかの例では、そのような概念を曖昧にするのを回避するために、周知の構造および構成要素をブロック図の形態で示す。
【００１３】
[0035]本明細書で説明する技法は、ＣＤＭＡ、ＴＤＭＡ、ＦＤＭＡ、ＯＦＤＭＡ、ＳＣ−ＦＤＭＡ、および他のシステムなど、様々なワイヤレス通信ネットワークのために使用され得る。「ネットワーク」および「システム」という用語は、多くの場合、区別なく使用される。ＣＤＭＡネットワークは、汎用地上無線アクセス（ＵＴＲＡ：Universal Terrestrial Radio Access）、ＣＤＭＡ２０００などの無線技術を実装し得る。ＵＴＲＡは、広帯域ＣＤＭＡ（ＷＣＤＭＡ（登録商標））とＣＤＭＡの他の変形態とを含む。ＣＤＭＡ２０００は、ＩＳ−２０００、ＩＳ−９５およびＩＳ−８５６の標準規格を含む。ＴＤＭＡネットワークは、モバイル通信用グローバルシステム（ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）のロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上で記載したワイヤレスネットワークおよび無線技術、ならびに他のワイヤレスネットワークおよび無線技術のために使用され得る。明快のために、技法のいくつかの態様がＬＴＥのために以下で説明され、以下の説明の多くではＬＴＥ用語が使用される。
【００１４】
[0036]図１に、ＬＴＥネットワークであり得るワイヤレス通信ネットワーク１００を示す。ワイヤレスネットワーク１００は、いくつかのｅＮＢ１１０と他のネットワークエンティティとを含み得る。ｅＮＢは、ＵＥと通信する局であってよく、基地局、ノードＢ、アクセスポイント、または他の用語としても呼ばれ得る。各ｅＮＢ１１０ａ、１１０ｂ、１１０ｃは、特定の地理的エリアに通信カバレージを与え得る。３ＧＰＰでは、「セル」という用語は、この用語が使用される状況に応じて、ｅＮＢのカバレッジエリアおよび／またはこのカバレッジエリアにサービスしているｅＮＢサブシステムを指すことがある。
【００１５】
[0037]ｅＮＢは、マクロセル、ピコセル、フェムトセル、および／または他のタイプのセルのための通信カバレージを提供することができる。マクロセルは、比較的大きい地理的エリア（たとえば、半径数キロメートル）をカバーすることができ、サービスに加入しているＵＥによる無制限のアクセスを許容する場合がある。ピコセルは、比較的小さい地理的エリアをカバーすることができ、サービスに加入しているＵＥによる無制限のアクセスを許容する場合がある。フェムトセルは、比較的小さい地理的エリア（たとえば、自宅）をカバーでき、フェムトセルとの関連を有するＵＥ（たとえば、限定加入者グループ（ＣＳＧ）内のＵＥ、自宅内のユーザのためのＵＥなど）による制限されたアクセスを可能にすることができる。マクロセルのためのｅＮＢはマクロｅＮＢと呼ばれることがある。ピコセルのためのｅＮＢは、ピコｅＮＢと呼ばれることがある。フェムトセルのためのｅＮＢはフェムトｅＮＢまたはホームｅＮＢ（ＨＮＢ）と呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢであり得る。ｅＮＢ１１０ｘは、ＵＥ１２０ｘをサービスするピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートし得る。
【００１６】
[0038]ワイヤレスネットワーク１００は、様々なタイプのｅＮＢ、たとえば、マクロｅＮＢ、ピコｅＮＢ、フェムトｅＮＢ、リレーなどを含む異種ネットワークであり得る。これらの様々なタイプのｅＮＢは、様々な送信電力レベルと、様々なカバレージエリアと、ワイヤレスネットワーク１００中の干渉に対する様々な影響とを有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００１７】
[0039]ワイヤレスネットワーク１００は、同期動作または非同期動作をサポートし得る。ブロードキャストマルチキャスト動作は、定義エリア内の基地局の同期を必要とし得るが、本技術は、それにより限定されない。同期動作の場合、ｅＮＢは同様のフレームタイミングを有してよく、異なるｅＮＢからの送信は時間的に概ねアラインされ得る。非同期動作の場合、ｅＮＢは異なるフレームタイミングを有する場合があり、異なるｅＮＢからの送信は、時間的にアラインされない場合がある。本明細書で説明する技法は、同期動作と非同期動作の両方のために使用され得る。
【００１８】
[0040]ネットワークコントローラ１３０は、ｅＮＢのセットに結合し、これらのｅＮＢに協調と制御とを提供し得る。ネットワークコントローラ１３０は、バックホールを介してｅＮＢ１１０と通信することができる。ｅＮＢ１１０はまた、たとえば、ワイヤレスバックホールまたは有線バックホールを介して、直接または間接的に互いに通信することができる。
【００１９】
[0041]ＵＥ１２０は、ワイヤレスネットワーク１００全体にわたって分散され得、各ＵＥは固定式またはモバイルであり得る。ＵＥは、端末、移動局、加入者ユニット、ノード、局などと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、または他のモバイルデバイスであり得る。ＵＥは、マクロｅＮＢ、ピコｅＮＢ、フェムトｅＮＢ、リレー、または他のネットワークエンティティと通信することが可能であり得る。図１では、両矢印付きの実線は、ダウンリンクおよび／またはアップリンク上で、ＵＥと、そのＵＥにサービスするように指定されたｅＮＢであるサービス提供ｅＮＢとの間の所望の送信を示す。両矢印付きの破線は、ＵＥとｅＮＢとの間の干渉する送信を示す。
【００２０】
[0042]ＬＴＥは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定される場合があり、サブキャリアの総数（Ｋ）はシステム帯域幅によって決まる場合がある。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅はまた、サブバンドに区分され得る。たとえば、サブバンドは１．０８ＭＨｚをカバーし得、１．２５、２．５、５、１０または２０ＭＨｚのシステム帯域幅に対してそれぞれ１、２、４、８または１６個のサブバンドがあり得る。
【００２１】
[0043]図２に、ＬＴＥにおいて使用されるダウンリンクフレーム構造を示す。ダウンリンクのための送信タイムラインは、無線フレーム２００の単位に区分され得る。各無線フレーム、たとえばフレーム２０２は、所定の期間（たとえば、１０ミリ秒（ｍｓ））を有してよく、０〜９のインデックスをもつ１０個のサブフレーム２０４に分割され得る。各サブフレーム、たとえば「サブフレーム０」２０６は、たとえば、「スロット０」２０８および「スロット１」２１０という２つのスロットを含み得る。したがって、各無線フレームは、０〜１９のインデックスをもつ２０個のスロットを含み得る。各スロットは、「Ｌ」個のシンボル期間、たとえば、図２に示すようにノーマルサイクリックプレフィックス（ＣＰ）に対して７個のシンボル期間２１２、または拡張サイクリックプレフィックスに対して６個のシンボル期間を含み得る。ノーマルＣＰおよび拡張ＣＰは、本明細書では異なるＣＰのタイプと呼ばれ得る。各サブフレーム中の２Ｌ個のシンボル期間は０〜２Ｌ−１のインデックスを割り当てられ得る。利用可能な時間周波数リソースはリソースブロックに区分され得る。各リソースブロックは、１つのスロット中で「Ｎ」個のサブキャリア（たとえば、１２個のサブキャリア）をカバーし得る。
【００２２】
[0044]ＬＴＥでは、ｅＮＢ１１０は、ｅＮＢ１１０中の各セルのためのプライマリ同期信号（ＰＳＳ）とセカンダリ同期信号（ＳＳＳ）とを送り得る。プライマリ同期信号およびセカンダリ同期信号は、図２に示されているように、それぞれ、ノーマルサイクリックプレフィックスをもつ各無線フレームのサブフレーム０および５の各々中のシンボル期間６および５において送られ得る。同期信号は、セル検出および収集のためにＵＥによって使用され得る。ｅＮＢ１１０は、サブフレーム０のスロット１中のシンボル期間０〜３において物理ブロードキャストチャネル（ＰＢＣＨ）を送り得る。ＰＢＣＨはあるシステム情報を搬送し得る。
【００２３】
[0045]ｅＮＢ１１０は、図２の第１のシンボル期間２１４全体において示されているが、各サブフレームの第１のシンボル期間の一部のみの中で物理制御フォーマットインジケータチャネル（ＰＣＦＩＣＨ）を送り得る。ＰＣＦＩＣＨは、制御チャネルのために使用されるいくつか（Ｍ個）のシンボル期間を搬送し得、ここで、Ｍは、１、２、または３に等しくなり得、サブフレームごとに変化し得る。Ｍはまた、たとえば、リソースブロックが１０個未満である小さいシステム帯域幅に対して４に等しくなり得る。図２に示された例では、Ｍ＝３である。ｅＮＢ１１０は、各サブフレームの最初のＭ個（図２ではＭ＝３）のシンボル期間中で物理Ｈ−ＡＲＱインジケータチャネル（ＰＨＩＣＨ）と物理ダウンリンク制御チャネル（ＰＤＣＣＨ）とを送り得る。ＰＨＩＣＨは、ハイブリッド自動再送信（Ｈ−ＡＲＱ）をサポートするための情報を搬送し得る。ＰＤＣＣＨは、ＵＥのためのリソースの割振りに関する情報と、ダウンリンクチャネル用の制御情報とを搬送することができる。図２の第１のシンボル期間の中には示されていないが、ＰＤＣＣＨおよびＰＨＩＣＨは第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅＮＢ１１０は、各サブフレームの残りのシンボル期間において物理ダウンリンク共有チャネル（ＰＤＳＣＨ）を送り得る。ＰＤＳＣＨは、ダウンリンク上でのデータ送信のためにスケジュールされたＵＥのためのデータを搬送することができる。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００２４】
[0046]ｅＮＢ１１０は、ｅＮＢ１１０によって使用されるシステム帯域幅の中心１．０８ＭＨｚにおいてＰＳＳと、ＳＳＳと、ＰＢＣＨとを送り得る。ｅＮＢ１１０は、これらのチャネルが送られる各シンボル期間においてシステム帯域幅全体にわたってＰＣＦＩＣＨおよびＰＨＩＣＨを送り得る。ｅＮＢ１１０は、システム帯域幅のいくつかの部分においてＵＥのグループにＰＤＣＣＨを送り得る。ｅＮＢ１１０は、システム帯域幅の特定の部分において特定のＵＥにＰＤＳＣＨを送り得る。ｅＮＢ１１０は、すべてのＵＥにブロードキャスト方式でＰＳＳと、ＳＳＳと、ＰＢＣＨと、ＰＣＦＩＣＨと、ＰＨＩＣＨとを送り得、特定のＵＥにユニキャスト方式でＰＤＣＣＨを送り得、また特定のＵＥにユニキャスト方式でＰＤＳＣＨを送り得る。
【００２５】
[0047]各シンボル期間において、いくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ）に配置され得る。各ＲＥＧは、１つのシンボル期間中の４つのリソース要素を含み得る。ＰＣＦＩＣＨは、シンボル期間０中に、周波数にわたってほぼ等しく離間され得る、４つのＲＥＧを占有し得る。ＰＨＩＣＨは、１つまたは複数の構成可能なシンボル期間中に、周波数にわたって拡散され得る、３つのＲＥＧを占有し得る。たとえば、ＰＨＩＣＨのための３つのＲＥＧは、すべてシンボル期間０に属することができるか、またはシンボル期間０、１および２に拡散され得る。ＰＤＣＣＨは、最初のＭ個のシンボル期間中に、利用可能なＲＥＧから選択され得る、９、１８、３２または６４個のＲＥＧを占有し得る。ＲＥＧのいくつかの組合せのみを、ＰＤＣＣＨに対して許可することができる。
【００２６】
[0048]ＵＥは、ＰＨＩＣＨおよびＰＣＦＩＣＨのために使用される特定のＲＥＧを知り得る。ＵＥは、ＰＤＣＣＨのためにＲＥＧの異なる組合せを探索することができる。探索すべき組合せの数は、一般に、ＰＤＣＣＨに対して可能にされる組合せの数よりも少ない。ｅＮＢ１１０は、ＵＥが探索することになる組合せのいずれかにおいてＵＥにＰＤＣＣＨを送り得る。
【００２７】
[0049]図３は、図１の基地局／ｅＮＢ１１０のうちの１つであり得る基地局／ｅＮＢ１１０、および図１のＵＥ１２０のうちの１つであり得るＵＥ１２０の設計のブロック図を示す。基地局１１０はまた、何らかの他のタイプの基地局であり得る。基地局１１０はアンテナ３３４ａ〜３３４ｔを備え得、ＵＥ１２０はアンテナ３５２ａ〜３５２ｒを備え得る。
【００２８】
[0050]基地局１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためであり得る。データは、ＰＤＳＣＨなどのためであり得る。プロセッサ３２０は、データと制御情報とを処理（たとえば、符号化およびシンボルマッピング）して、それぞれデータシンボルと制御シンボルとを取得し得る。プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０が、適用可能な場合、データシンボル、制御シンボル、および／または基準シンボルに対して空間処理（たとえば、プリコーディング）を実行し得、出力シンボルストリームを変調器（ＭＯＤ）３３２ａ〜３３２ｔに与え得る。各変調器３３２は、出力サンプルストリームを取得するために、（たとえば、ＯＦＤＭなどのための）それぞれの出力シンボルストリームを処理し得る。各変調器３３２はさらに、ダウンリンク信号を取得するために、出力サンプルストリームを処理（たとえば、アナログへの変換、増幅、フィルタ処理、およびアップコンバート）し得る。変調器３３２ａ〜３３２ｔのダウンリンク信号は、それぞれアンテナ３３４ａ〜３３４ｔを介して送信され得る。
【００２９】
[0051]ＵＥ１２０において、アンテナ３５２ａ〜３５２ｒは、基地局１１０および／または近隣基地局からダウンリンク信号を受信し得、受信信号をそれぞれ復調器（ＤＥＭＯＤ）３５４ａ〜３５４ｒに与え得る。各復調器３５４は入力サンプルを取得するために、それぞれの受信信号を調整（たとえば、フィルタ処理、増幅、ダウンコンバート、およびデジタル化）し得る。各復調器３５４はさらに、受信シンボルを取得するために、（たとえば、ＯＦＤＭなどのために）入力サンプルを処理し得る。ＭＩＭＯ検出器３５６は、すべての復調器３５４ａ〜３５４ｒから受信シンボルを取得し、適用可能な場合は受信シンボルに対してＭＩＭＯ検出を実行し、検出シンボルを与え得る。受信（ＲＸ）プロセッサ３５８が、検出シンボルを処理（たとえば、復調、デインターリーブ、および復号）し、ＵＥ１２０のための復号されたデータをデータシンク３６０に与え、復号された制御情報をコントローラ／プロセッサ３８０に与え得る。
【００３０】
[0052]アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、基地局１１０に送信され得る。基地局１１０において、ＵＥ１２０からのアップリンク信号は、アンテナ３３４によって受信され、復調器３３２によって処理され、可能な場合はＭＩＭＯ検出器３３６によって検出され、ＵＥ１２０によって送られた復号されたデータと制御情報とを取得するために、受信プロセッサ３３８によってさらに処理され得る。プロセッサ３３８は、復号されたデータをデータシンク３３９に与え、復号された制御情報をコントローラ／プロセッサ３４０に与え得る。
【００３１】
[0053]ＵＥが、サービングセルｃのためのＰＵＣＣＨ上で同時送信することなくＰＵＳＣＨ上でデータを送信する場合、サービングセルｃのためのサブフレームｉにおけるＰＵＳＣＨ送信のためのＵＥ送信電力ＰPUSCH,c（ｉ）は、以下によって求められ得る：
【００３２】
【数１】
2019013010.tif 000003
【００３３】
[0055]たとえば、PO_PUSCH,cが、ターゲット受信電力であり得る。αcが、ターゲット受信電力のスロープであり得る。
【００３４】
[0056]ＬＴＥにおける電力制御のためのさらなる詳細および式は、たとえば、３ＧＰＰ  ＴＳ  ３６．２１３において提供され得、その全体を本明細書に組み込まれる。
【００３５】
[0057]コントローラ／プロセッサ３４０および３８０は、それぞれ基地局１１０およびＵＥ１２０における動作を指示し得る。基地局１１０におけるプロセッサ３４０ならびに／または他のプロセッサおよびモジュールは、本明細書で説明する技法のための様々なプロセスを実行するか、またはその実行を指示し得る。ＵＥ１２０におけるプロセッサ３８０および／または他のプロセッサおよびモジュールはまた、以下の図に示す機能ブロック、および／または本明細書で説明する技法のための他のプロセスを実行するかまたはその実行を指示し得る。ｅＮＢ１１０におけるプロセッサ３４０ならびに／または他のプロセッサおよびモジュールは、以下の図に示す機能ブロック、および／または本明細書で説明する技法のための他のプロセスを実行するか、またはその実行を指示し得る。メモリ３４２および３８２は、それぞれ基地局１１０およびＵＥ１２０のためのデータとプログラムコードとを記憶し得る。スケジューラ３４４は、ダウンリンク上および／またはアップリンク上のデータ送信のためにＵＥをスケジューリングし得る。
【００３６】
[0058]容易に諒解されるように、アンテナ３５２、変調器３５４、送信プロセッサ３６４、および／またはＴＸ  ＭＩＭＯプロセッサ３６６は、ＵＥ１２０の送信チェーンを形成し、プロセッサ３８０の制御下でアップリンク信号を送るかまたは送信するための手段を供給し得る。たとえば、送信チェーンは、ＬＴＥ−ＵにおいてＣＣＡを行うための手段を供給することができる。
【００３７】
[0059]容易に諒解されるように、アンテナ３５２、復調器３５４、受信プロセッサ３５８、および／または、ＲＸ  ＭＩＭＯ検出器３５６は、ＵＥ１２０の受信チェーンを形成し、ＬＴＥ−ＵにおいてＣＣＡを行うための手段を供給し得る。
【００３８】
[0060]一態様では、プロセッサ３８０は、メモリ３８２中に保持された命令を実行することによって、本明細書で説明する方法の動作を実行するためのモジュールを含む。そのようなモジュールは、たとえば、無認可通信帯域の送信チャネルに関する制約に関連した少なくとも１つのメトリックを決定するための手段を含み得る。そのようなモジュールは、たとえば、それぞれの送信チェーンと受信チェーンとの動作を制御するためにプロセッサ３８０によって利用され得る。
【００３９】
[0061]コントローラ／プロセッサ３４０および３８０は、それぞれ基地局１１０およびＵＥ１２０における動作を指示し得る。基地局１１０におけるプロセッサ３４０ならびに／または他のプロセッサおよびモジュールは、本明細書で説明する技法のための様々なプロセスを実行するか、またはその実行を指示し得る。ＵＥ１２０におけるプロセッサ３８０ならびに／または他のプロセッサおよびモジュールは、図１１、図１２、図１４、および図１６に示す機能ブロック、および／または本明細書で説明する技法のための他のプロセスを実行するか、またはその実行を指示し得る。メモリ３４２および３８２は、それぞれ基地局１１０およびＵＥ１２０のためのデータとプログラムコードとを記憶し得る。スケジューラ３４４は、ダウンリンク上および／またはアップリンク上のデータ送信のためにＵＥをスケジューリングし得る。
【００４０】
[0062]一構成では、ワイヤレス通信のためのＵＥ１２０は、以下の図に示されるプロセスを実行するための手段を含み得る。一態様では、上述の手段は、上述の手段によって列挙される機能を実行するように構成された（１つまたは複数の）プロセッサ、コントローラ／プロセッサ３８０、メモリ３８２、受信プロセッサ３５８、ＭＩＭＯ検出器３５６、復調器３５４ａ、およびアンテナ３５２ａとすることができる。別の態様では、上述の手段は、上述の手段によって列挙される機能を実施するように構成されたモジュールまたは任意の装置とすることができる。
【００４１】
[0063]図４Ａは、連続キャリアアグリゲーションの一例を示す。ＬＴＥのための高データレートを達成するために、単一キャリアまたはチャネルを使用することによってサポートされる送信帯域幅を増大させることが必要である可能性がある。キャリアアグリゲーション（ＣＡ）を使用することによって、２つ以上のキャリアを使用し、全体的な送信帯域幅を増大させることが可能である。一実施形態では、Ｋ個のコンポーネントキャリア（ＣＣ）が利用可能であり得、互いに隣接し得、ただし、概して、Ｋは任意の整数値であり得る。Ｋは、いくつかのＬＴＥ  ｒｅｌｅａｓｅでは５以下に制限され得る。図４Ａに示すように、コンポーネントキャリア４０２ａ、４０４ａ、および４０６ａは、互いに隣接している。コンポーネントキャリア４０２ａ、４０４ａ、および４０６ａのそれぞれが、最大２０ＭＨｚの帯域幅を有することができる。全体的なシステム帯域幅は、５つのＣＣがサポートされるとき、最高１００ＭＨｚであり得る。図４Ｂは、不連続キャリアアグリゲーションの一例を示す。Ｋ個のＣＣが利用可能であり得、互いに別個であり得る。図４Ｂに示すように、コンポーネントキャリア４０２ｂ、４０４ｂ、および４０６ｂは、互いに隣接していない、すなわち非連続である。各ＣＣは最高２０ＭＨｚの帯域幅を有し得る。アグリゲートされたキャリアは、プライマリサービングセル（ＰＳＣまたはＰＣｅｌｌ）にサービスするプライマリコンポーネントキャリア（ＰＣＣ）を含み得る。プライマリサービングセルは、ＰＣｅｌｌと呼ばれ得る。アグリゲートされたキャリアは、それぞれセカンダリサービングセル（ＳＳＣまたはＳＣｅｌｌ）にサービスするいくつかのセカンダリコンポーネントキャリア（ＳＣＣ）を含み得る。
【００４２】
[0064]本開示の１つまたは複数の態様によれば、ＬＴＥ−Ｕデバイスがクリアチャネルアセスメント（ＣＣＡ）を行うための方法および装置が提供される。少なくとも１つの実施形態では、無認可帯域のＬＴＥ動作が、コアネットワークにおいて認可または無認可にわたってデータのシームレスなフローも可能にしながら、ＷｉＦｉ（登録商標）と比べてかなり良好なカバレージおよび高いスペクトル効率を提供し得る。一例では、ユーザの観点からＬＴＥ−Ｕは、認可アンカーキャリアを介した高い信頼性および堅牢なモビリティとともに、向上した広帯域体験、より高いデータレート、認可帯域と無認可帯域の両方のシームレスな利用を提供することができる。しかしながら、ＬＴＥ−Ｕに対する考慮すべき事項は、ＬＴＥ−Ｕが、「公平な」および「扱いやすい（friendly）」基盤上でＷｉＦｉなどの現在のアクセス技術と共存することを保証することである。
【００４３】
[0065]ＬＴＥは、いくつかの動作モードを提供することができる。無認可スペクトルでの動作の場合、ＬＴＥは、上述のようにＬＴＥ−Ｕ（「無認可帯域のＬＴＥ」）と呼ばれ得る。そのような無認可スペクトルは、２．４ＧＨｚのＩＳＭ（Ｉｎｄｕｓｔｒｉａｌ，Ｓｃｉｅｎｔｉｆｉｃ  ａｎｄ  Ｍｅｄｉｃａｌ：産業、科学、および医療）帯域および５ＧＨｚのＵ−ＮＩＩ（Ｕｎｌｉｃｅｎｓｅｄ  Ｎａｔｉｏｎａｌ  Ｉｎｆｏｒｍａｔｉｏｎ  Ｉｎｆｒａｓｔｒｕｃｔｕｒｅ：無認可国内情報インフラストラクチャ）帯域で使用される８０２．１１（ＷｉＦｉ）、８０２．１５．１（Ｂｌｕｅｔｏｏｔｈ（登録商標））、および８０２．１５．４（ＺｉｇＢｅｅ（登録商標））用の無認可または「ライセンス免除」無線帯域を含み得る。ＬＴＥ−Ｕは、ＬＴＥキャリアアグリゲーションおよび付加ダウンリンク（ＳＤＬ：supplemental downlink）プロトコルを活用することによって最初に無認可帯域でデータオフロードを可能にすることができる。たとえば、ＬＴＥ−Ｕは、既存の認可スペクトルサービスプロバイダ（従来のＭＮＯ）による使用のために、付加ダウンリンク（ＳＤＬ）モードを提供することができる。ＳＤＬは、ダウンリンク容量オフロードのために使用され得る。別のモードでは、既存の認可スペクトルサービスプロバイダ（従来のＭＮＯ）によってキャリアアグリゲーション（ＣＡ）が使用され得る。ＣＡモードは、ダウンリンクおよびアップリンク容量オフロードのために使用され得る。スタンドアロン（ＳＡ）モードと呼ばれる別のモードでは、認可スペクトルは、サービスプロバイダによって使用されない可能性がある。ＳＡモードは、会場（たとえば、スポーツスタジアム）事業者またはＭＶＮＯによって使用され得る。ＳＡモードは、会場内アクセス（in-venue access）のために、または非従来型ワイヤレスアクセスのために、またはエンタープライズセッティングにおいて使用され得る。
【００４４】
[0066]キャリアアグリゲーションＣＡモードは、認可スペクトルおよび無認可スペクトルのいずれかまたは両方を使用するＣＡに基づく設計を含み得る。一設計では、認可スペクトルは、アンカーまたはプライマリコンポーネントキャリア（ＰＣＣ）として使用され得る。制御データおよびクリティカルデータは、認可スペクトル上でトランスポートされ得る。無認可スペクトルは、データオンリー送信を提供するデータオフロードのために使用され得る。ダウンリンクおよびアップリンクにおいて、認可チャネル上のＬＴＥは、制御とデータの両方を提供することができる。無認可チャネル上のＬＴＥは、データを提供することができる。
【００４５】
[0067]無認可スペクトルでの動作の場合、デバイスが、リッスンビフォアトーク（ＬＢＴ）のために構成され得る。この構成では、ｅＮＢにおけるダウンリンク送信は、１０ミリ秒（ｍｓ）ごとにＣＣＡを行い得る。しかしながら、ＣＣＡを行うための他の時間期間が使用されてもやはり対象技術の範囲内であり得ることは理解されよう。一態様では、ＬＢＴは、固定フレーム期間に基づかれ得る。ＣＣＡは、無線フレーム境界にアラインされた、ＣＣＡと、リソース、グラブアンドリリンキッシュ（grab-and-relinquish）、送信機のためのメカニズムを提供することができる。１つの例において、ＬＢＴは、送信機で必要とされるだけであるので、ＵＥではＬＢＴが行われないことがある。
【００４６】
[0068]図５は、ダウンリンク（ＤＬ）フレーム構造における例示的なＣＣＡ配置オプションを示す。たとえば、ダウンリンクにおけるＬＢＴは、後続のダウンリンクサブフレームをスケジュールするために、部分的なアップリンク（Ｓ’）サブフレームを介して達成され得る。たとえば、Ｓ’サブフレームのＣＣＡは、ノードが今後の送信リソースを確保するまたは保持するために使用され得る。図５の例において、ＣＣＡのための機会は、サブフレーム９で発生する。ＣＣＡ配置のためのスロットの数は、ＣＣＡ再使用係数と呼ばれ得、図５では７であり得る。サブフレーム９において、ガード期間（ＧＰ）が、ＣＣＡ配置機会の前に設けられ得る。たとえば、最小アイドル時間が、０．５ｍｓ以上であり得る。セル固有の（または共通）基準信号（ＣＲＳ）は、５サブフレームおきに提供され得る。サブフレームの送信のために使用される波形は、ＵＥ基準信号（ＵＥＦＳ）ベースの復調に基づき得る。
【００４７】
[0069]ＬＢＴフレームが、１０ｍｓ無線フレームと一致し得る。１つのＬＢＴフレームは、９つのダウンリンク（ＤＬ）サブフレーム、その後に続く１つのＳ’サブフレームを含み得る。ＤＬサブフレームは、データ送信に使用され得る（たとえば、無線フレームあたり９ｍｓ）。Ｓ’サブフレームは、不連続送信（ＤＴＸ）、ＣＣＡ、またはチャネル使用ビーコン信号（ＣＵＢＳ）に使用され得る。
【００４８】
[0070]ＣＣＡ中にノードで検出される受信電力が指定のしきい値を下回ったままである場合、ＣＣＡは成功し得る。ＣＣＡがノードで成功する場合、ノードは、次のＳ’サブフレームの開始まで、媒体を「グラブアンドホールド（grab-and-hold）」し得る。ノードは、Ｓ’サブフレームの残りのシンボルのためにＣＵＢＳを送信し得る。ＣＵＢＳは、Ｓ’サブフレームの後半でＣＣＡを行う他のノードが、媒体は占有されていることを検知することを保証し得る。この点において、ＣＵＢＳの送信は、近隣にある他のＵＥの送信信号を事実上ブロックし得る。ノードは、次の（たとえば、第０）サブフレームから必要とされるまで（最大９サブフレームの間）データを送信し得る。
【００４９】
[0071]一実施形態では、同じパブリックランドモバイルネットワーク（ＰＬＭＮ：public land mobile network）内のすべてのノードが、同時にＣＣＡを行う。同期されたＣＣＡの結果として、ノードのどれも互いをブロックしない。これは、展開内の十分な空間再使用を促進し得る。一実施形態では、デフォルトによって、異なる展開からのノードは、時間の異なるポイントでＣＣＡを行うように構成される。ＣＣＡ機会は、展開にわたって公平のために時間において入れ替えられ得る。協調展開（cooperating deployment）は、ＣＣＡを同時に行うことを決定し得る。
【００５０】
[0072]図６は、例示的な時分割複信（ＴＤＤ）フレーム構造におけるＣＣＡ配置オプションを示す。サブフレームＳ’（たとえば、サブフレーム９）は、ＤＬ  ＣＣＡ配置オプションを提供することによって後続のＤＬサブフレーム（たとえば、サブフレーム０〜４）を保持するために使用され得る。たとえば、サブフレームＳ’（たとえば、サブフレーム９）は、部分的なＵＬ、ＤＬ  ＣＣＡ（ダウンリンククリアチャネルアセスメント）、およびＤＬ  ＣＵＢＳ（ダウンリンクチャネル使用ビーコン信号）を含み得る。サブフレームＳ（たとえば、サブフレーム５）は、後続のＵＬサブフレーム（たとえば、サブフレーム６〜８）を保持するために使用され得る。たとえば、サブフレームＳ（たとえば、サブフレーム５）は、ダウンリンクパイロットタイムスロット（ＤｗＰＴＳ）、ＧＰ、ＵＬ  ＣＣＡ、およびＵＬ  ＣＵＢＳを含み得る。
【００５１】
[0073]図７は、例示的なワイヤレス通信システムにおけるＣＣＡを示す。保留中の好機をねらった送信を有するＵＥのみが、ＳサブフレームでＣＣＡを実施し得る。ＣＣＡが成功する場合、ＵＥは、チャネルをクリアするためにＵＬ−ＣＵＢＳ（アップリンクチャネル使用ビーコン信号）を送信し得る。この方法は、必要なときにのみ他のものをブロックし得る。ＵＬ  ＣＣＡ（アップリンククリアチャネルアセスメント）は、ＤＬ  ＣＣＡクリアランス（ＣＣＡ送信の範囲）と無関係に行われ得る。様々なＬＴＥ−Ｕ  ＰＬＭＮが、ＰＣＣからの割り当てに基づいたＵＬを取得し得る。
【００５２】
[0074]図７の例では、デバイスは、ＬＴＥーＵシステム７１０および７２０において他のデバイスをブロックする可能性がある。ＬＴＥ−Ｕシステム７１０におけるモバイルデバイス７１５のクリアランスは、他のデバイスをブロックすることを回避するために十分に小さいものであり得る。ＬＴＥ−Ｕシステム７２０におけるモバイルデバイス７６５のクリアランスは、ＷｉＦｉアクセスポイントに接続されたモバイルデバイス７６０をブロックする可能性がある。
【００５３】
[0075]ＣＣＡのための１つの設計では、同じ事業者からのノードが、同時にＣＣＡを実行し得る。時間アライメントエラーに対するＣＣＡ感度が、ＣＣＡの性能に影響を及ぼす可能性がある。「Ｘ」のタイミングエラーがあり、ＣＣＡインターバルが「Ｙ」である場合、Ｘ／ＹのＴＸ電力の一部が、ＲＸチェーンにリークする可能性がある。ＴＸ電力は、前の非ＣＣＡシンボル上のＴＸ、または次のＣＣＡシンボル上のＴＸから来る可能性がある。問題の重大さは変わる可能性がある。２０マイクロ秒（μｓ）のＣＣＡスロットの場合、ＤＬ  ＣＣＡは、ＴＤＤ  ｅＮＢタイミング要件を満たすために、約３μｓであり得る。ＲＸタイミングが同じ順序であると仮定すると、ＲＸ  ＣＣＡは３μｓであり得る。潜在的な漏れは、平均３／２０または３ｄＢの漏れである、６／２０または５ｄＢについて、２０μｓスロットにわたるシンボル（３＋３）の両側にミスアライメントの最悪の場合を有する可能性がある。ＴＸ／ＲＸ切替時間は、＋／−１８μｓであり得る。
【００５４】
[0076]ＣＣＡ動作には、無線（ＯＴＡ：over the air）問題が発生する可能性がある。５００メートルのセルサイズの場合、さらなる１．５μｓのタイミング差が説明される必要があることがある。ＤＬ  ＯＴＡによる同期が、異なる階層間にタイミングオフセットをもたらす可能性がある。ＯＴＡ遅延が、上位階層ｅＮＢタイミングに反映される可能性がある。ＣＣＡ動作ではＵＬ  ＣＣＡが発生し得る。異なるＵＥに対するタイミングアドバンスが、ＣＣＡ時間をさらに押し開く可能性がある。これは、基地局に近いＵＥのＲＸに対して許容できる可能性がある。他のＵＥからのＲＸタイミングは、十分に調整され得る。これは、基地局から遠いＵＥのＲＸに対して、同じように許容できない可能性がある。セル中心ＵＥからのＲＸタイミングは、近いＵＥに比較してさらに遅れる可能性がある。
【００５５】
[0077]タイミングおよび同期は、ＣＣＡに関係する問題に対処するために調整され得る。一実施形態では、ＣＣＡは、たとえば、シンボルの各側に２３μｓのガード期間を設けて、ＯＦＤＭシンボルの真ん中に位置決めされ得る。一態様では、オン−オフタイミングマスクが、ＣＵＢＳのために使用され得る。タイミングマスクは、一時的期間を、定義されたＯＦＤＭシンボル持続時間に移動することができる。たとえば、一時的期間を［Ｔ−２０，Ｔ］として有する代わりに、期間は、［Ｔ−１０，Ｔ＋１０］として再定義され得る。これは、タイミング不確定性に十分なマージンを提供し得る。
【００５６】
[0078]別の実施形態では、ＵＥタイミングアドバンスが調整され得る。強化されたセルＩＤ、Ｅ−ＣｅｌｌＩＤ、またはＥＣＩＤは、ｅＮＢがＵＥからＯＴＡタイミング情報を集めることを可能にすることができる位置決め技法である。ＵＥタイミング調整は、ＥＣＩＤ情報に基づいて行われ得る。タイミングアドバンスは、ＵＥ間のタイミング差を減少させるように調整され得る。スモールセルに許容できる可能性のあるＤＬに従うように、ゼロタイミング調整が行われ得る。別の態様では、タイミングアドバンスまたはＥＣＩＤ技法は、ＵＥで利用できるものとすることができる。たとえば、ＵＥは、タイミングアドバンスパラメータおよび変数を最適化することができる。
【００５７】
[0079]ｅＮＢ  ＯＴＡに基づく同期は、上位ティアノードがＯＴＡ遅延を説明するためにタイミングにバイアスをかけることを可能にし得る。
【００５８】
[0080]図８は、タイミングオフセットを有する２つのノードに対するＣＣＡを示す。図８の例では、２つのノード、ノード１およびノード２が、同じＣＣＡスロットを有し得る（たとえば、２つのノードは、同じＰＬＭＮの一部である）。２つのノードは、タイミングオフセット、たとえば図８に示すデルタを有し得る。ノード１は、ＣＣＡに成功し得るが、ノード１からのＴＸ電力は、タイミングオフセットのためにノード２のＲＸにリークし得る。たとえば、ＣＵＢＳ送信時間間隔（ＴＴＩ）に向けられたノード１からの送信は、２つのノード間のタイミングオフセットのためにノード２のＣＣＡ  Ｎ  ＴＴＩにリークする可能性がある。
【００５９】
[0081]図９は、別のタイミングオフセットを有する２つのノードに対するＣＣＡを示す。図９中のタイミングオフセットは、図８の例に示すものよりも小さいタイミングオフセットであり得る。図９の例では、２つのノード、ノード１およびノード２が、同じＣＣＡスロットを有し得る（たとえば、２つのノードは、同じＰＬＭＮの一部である）。２つのノードは、タイミングオフセット、たとえば図９に示すデルタを有し得る。ノード１は、ＣＣＡに成功し得るが、ノード１からのＴＸ電力は、タイミングオフセットに起因してノード２のＲＸにリークし得る。たとえば、ＣＵＢＳ  ＴＴＩに向けられたノード１からの送信は、２つのノード間のタイミングオフセットのためにノード２のＣＣＡ  Ｎ  ＴＴＩにリークする可能性がある。
【００６０】
[0082]図１０は、シフトされたタイミングマスクを示す。図１０の例では、２つのノード、ノード１およびノード２が、同じＣＣＡスロットを有し得る（たとえば、２つのノードは、同じＰＬＭＮの一部である）。２つのノードは、タイミングオフセット、たとえば図１０に示すデルタを有し得る。ノード１は、ＣＣＡ中で成功し得る。ＣＵＢＳのための送信は、タイミングマスクに基づかれ得る。たとえば、タイミングマスクは、オン期間およびオフ期間を含み得る。オフ期間は、ＯＦＤＭシンボル境界の前のあらかじめ決定された時間期間（たとえば、数ミリ秒）であってよい。オン期間は、ＯＦＤＭシンボル境界の後のあらかじめ決定された時間期間（たとえば、数ミリ秒）であってよい。タイミングマスクを使用すると、干渉を減少させることができる。
【００６１】
[0083]一実施形態では、波形は、感度を下げるためにＣＣＡスロットのサイズを大きくするなど、変更され得る。
【００６２】
[0084]別の実施形態では、ノードがＣＣＡにおいて常にブロックされるとき、適合アルゴリズムが使用され得る。たとえば、ノードは、ブロッキングを検出し、タイミングにバイアスをかけることができる。ノードは、ブロッキングの場合、ＣＵＢＳでＴＸ電力を下げることができる。ノードは、ＰＬＭＮ内送信によってブロックされたノードのための予備ＣＣＡスロットに移動することができる。ノードがＰＬＭＮ内送信によってもはやブロックされないとき、ノードは割り当てられたＣＣＡスロットに戻ることができる。
【００６３】
[0085]電力スペクトル密度（ＰＳＤ）制御を使用する現在のＬＴＥ仕様に基づいて、ＵＬ  ＣＵＢＳオープンループ電力逆反転（power inversion）が、各ノードで使用され得る。オープンループ電力制御は、ＵＥがｅＮＢに近いとき、他のＵＥのサイレンシング（silencing）がより少ない結果となり得る。電力制御は、ＵＥがｅＮＢから離れているとき、他のＵＥのサイレンシングがより多い結果となり得る。総電力に基づいてｅＮＢで同じターゲットＲＳＳＩを達成するために、Ｐ０が使用され得る。ターゲットは、たとえば、−６２ｄＢｍというＣＣＡしきい値、プラス、マージンであってよい。マージンは、サービングセルｅＮＢと別のＰＬＭＮからのＵＥとの結合損失差に基づいて予測され得る。マージンは、アンテナ利得差にパスロス差を加えたもの（たとえば、シャドーイング＋距離）であってよい。電力制御は、ｅＮＢにおけるＳＲＳ／ＣＵＢＳ受信のために有益であり得る。電力制御は、再使用１を容易にするためのセル間干渉管理に有益であり得る。しかしながら電力制御は、ＷｉＦｉおよび他のＬＴＥ−Ｕノードをサイレンシングする際に不適当である可能性がある。加えて、ｅＮＢからさらに離れているＵＥが、より大きい再使用係数を生み出す可能性がある。
【００６４】
[0086]別の実施形態では、ＵＬ  ＣＵＢＳは、最大電力に基づき得る。これは、他のＰＬＭＮ／ＲＡＴ  ＵＥをサイレンシングするために有益であり、ＤＬ  ＣＵＢＳにマッチし得る。しかしながら最大電力は、セル間干渉のために１の再使用には困難であり得る。この問題に対処するために、ｅＮＢ干渉除去が使用され得る。この手法のために、セル内ＲＸ信号ダイナミックレンジが高くあり得る。
【００６５】
[0087]図１１は、ＬＴＥ−ＵにおけるＣＣＡのための方法の実施形態を示す。この方法は、ＵＥ、モバイルエンティティ、ｅＮＢ、フェムトアクセスポイントなどのワイヤレスエンティティによって実行され得る。方法１１００は、１１０２で、ＣＣＡのために確保されたリソースでの送信のためにモニタすることを含み得る。この方法は、１１０４で、ＣＣＡのために確保されたリソースにおける割り当てられたスロットよりも短い持続時間にわたる送信のエネルギーを検出することを含み得る。
【００６６】
[0088]図１２は、ＬＴＥ−ＵにおけるＣＣＡのための方法の他の実施形態を示す。この方法は、ＵＥ、モバイルエンティティ、ｅＮＢ、フェムトアクセスポイントなどのワイヤレスエンティティによって実行され得る。方法１２００は、１２０２で、ＣＣＡのために確保されたリソースでの送信をモニタすることを含み得る。この方法は、１２０４で、モニタすることに基づいてクリアチャネルを検出することに応答して、ＣＣＡのためにワイヤレスエンティティに割り当てられたスロットでビーコンを送信することを含み得る。たとえば、送信は、ＯＦＤＭシンボル境界の前に第１の所定時間オフセットされたオフタイム期間と、ＯＦＤＭシンボル境界の後に第２の所定時間オフセットされたオン期間とを有するタイミングマスクに従うことができる。
【００６７】
[0089]図１３は、ＬＴＥ−Ｕにおけるタイミングアドバンスのための方法の実施形態を示す。方法は、ｅＮＢ、フェムトアクセスポイントなどによって実行され得る。方法１３００は、１３０２で、少なくとも１つの移動局から、少なくとも１つの移動局からのタイミング情報を備える少なくとも１つのメッセージを受信することを含み得る。方法は、１３０４で、少なくとも移動局間のタイミング差を減少させることに基づいて少なくとも１つの移動局のために、受信したタイミング情報を使用して、ＣＵＢＳ送信および関連するＣＣＡウィンドウのための少なくとも１つのタイミングアドバンスパラメータを決定することを含み得る。
【００６８】
[0090]図１４は、ＬＴＥ−ＵにおけるＣＣＡのための方法の他の実施形態を示す。この方法は、ＵＥ、モバイルエンティティ、ｅＮＢ、フェムトアクセスポイントなどのワイヤレスエンティティによって実行され得る。方法１４００は、１４０２で、ＣＣＡのために確保されたリソースでの送信をモニタすることを含み得る。この方法は、連続したいくつかのＣＣＡ期間の間に送信を検出することに応答して、ＣＣＡのための送信およびモニタすることのタイミングを適合させることを含み得る。
【００６９】
[0091]図１５は、ＬＴＥ−ＵにおけるＣＣＡのための方法の他の実施形態を示す。方法は、ｅＮＢ、フェムトアクセスポイントなどによって実行され得る。方法１５００は、１５０２で、ＣＣＡ電力しきい値に基づいたＣＵＢＳ送信のためのターゲット受信電力と、近隣アクセスポイントの移動局に基づいた電力マージンとを決定することを含み得る。この方法は、１５０４で、ＣＵＢＳ送信のために推定パスロスに応じて送信電力のスロープを決定することを含み得る。この方法は、１５０６で、決定されたターゲット受信電力と、決定されたスロープとを移動局に送ることを含み得る。
【００７０】
[0092]図１６は、ＬＴＥ−ＵにおけるＣＣＡのための方法の他の実施形態を示す。この方法は、ＵＥ、モバイルエンティティなどのワイヤレスエンティティによって実行され得る。方法１６００は、１６０２で、ＣＣＡのために確保されたリソースでの送信をモニタすることを含み得る。この方法は、１６０４で、モニタすることに基づいてクリアチャネルを検出することに応答して、ＣＣＡのために移動局に割り当てられたスロットでのビーコンの送信のために最大電力に調整することを含み得る。
【００７１】
[0093]図１７を参照すると、ＣＣＡのために、ＵＥ、モバイルエンティティ、ｅＮＢ、フェムトアクセスポイント、もしくは他の適したエンティティなどのワイヤレスエンティティとして、またはＵＥ、モバイルエンティティ、ｅＮＢ、フェムトアクセスポイント、もしくは他の適したエンティティ内で使用するためのプロセッサ、構成要素、もしくは類似のデバイスとして構成され得る例示的な装置１７００が提供される。装置１７００は、プロセッサ、ソフトウェア、またはそれらの組合せ（たとえば、ファームウェア）によって実装される機能を表し得る機能ブロックを含み得る。
【００７２】
[0094]図示のように、一実施形態では、装置１７００は、ＣＣＡのために確保されたリソースでの送信のためにモニタすることのための電気構成要素またはモジュール１７０２を含み得る。装置１７００は、ＣＣＡのために確保されたリソースにおける割り当てられたスロットよりも短い持続時間にわたる送信のエネルギーを検出するための電気構成要素またはモジュール１７０４を含み得る。
【００７３】
[0095]関連する態様では、ネットワークエンティティとして構成された装置１７００の場合、装置１７００は、少なくとも１つのプロセッサを有するプロセッサ構成要素１７００を任意選択で含み得る。プロセッサ１７００は、そのような場合、バス１７１２または同様の通信結合を介して構成要素１７０２〜１７０４または同様の構成要素と動作可能に通信し得る。プロセッサ１７１０は、電気構成要素またはモジュール１７０２〜１７０４によって実行される処理または機能の起動とスケジューリングとを実施し得る。
【００７４】
[0096]さらなる関連する態様では、装置１７００は、他のネットワークエンティティと通信するためのネットワークインターフェース構成要素１７１４を含み得る。装置１７００は、たとえば、メモリデバイス／構成要素１７１６など、情報を記憶するための構成要素を任意選択で含み得る。コンピュータ可読媒体またはメモリ構成要素１７１６は、バス１７１２などを介して装置１７００の他の構成要素に動作可能に結合することができる。メモリ構成要素１７１６は、構成要素１７０２〜１７０４、およびそれらのサブ構成要素、またはプロセッサ１７１０の活動を実行するための、コンピュータ可読命令とデータとを記憶するように適応され得る。メモリ構成要素１７１６は、構成要素１７０２〜１７０４に関連する機能を実行するための命令を保持し得る。メモリ１７１６の外部にあるものとして示されているが、構成要素１７０２〜１７０４はメモリ１７１６の内部に存在することができることを理解されたい。
【００７５】
[0097]図１８を参照すると、ＣＣＡのために、ＵＥ、モバイルエンティティ、ｅＮＢ、フェムトアクセスポイント、もしくは他の適したエンティティなどのワイヤレスエンティティとして、またはＵＥ、モバイルエンティティ、ｅＮＢ、フェムトアクセスポイント、もしくは他の適したエンティティ内で使用するためのプロセッサ、構成要素、もしくは類似のデバイスとして構成され得る例示的な装置１８００が提供される。装置１８００は、プロセッサ、ソフトウェア、またはそれらの組合せ（たとえば、ファームウェア）によって実装される機能を表し得る機能ブロックを含み得る。
【００７６】
[0098]図示のように、一実施形態では、装置１８００は、ＣＣＡのために確保されたリソースでの送信のためにモニタすることのための電気構成要素またはモジュール１８０２を含み得る。装置１８００は、モニタすることに基づいてクリアチャネルを検出することに応答して、ＣＣＡのためにワイヤレスエンティティに割り当てられたスロットでビーコンを送信するための電気構成要素またはモジュール１８０４を含み得る。
【００７７】
[0099]関連する態様では、ネットワークエンティティとして構成された装置１８００の場合、装置１８００は、少なくとも１つのプロセッサを有するプロセッサ構成要素１８００を任意選択で含み得る。プロセッサ１８００は、そのような場合、バス１８１２または同様の通信結合を介して構成要素１８０２〜１８０４または同様の構成要素と動作可能に通信し得る。プロセッサ１８１０は、電気構成要素またはモジュール１８０２〜１８０４によって実行される処理または機能の起動とスケジューリングとを実施し得る。
【００７８】
[00100]さらなる関連する態様では、装置１８００は、他のネットワークエンティティと通信するためのネットワークインターフェース構成要素１８１４を含み得る。装置１８００は、たとえば、メモリデバイス／構成要素１８１６など、情報を記憶するための構成要素を任意選択で含み得る。コンピュータ可読媒体またはメモリ構成要素１８１６は、バス１８１２などを介して装置１８００の他の構成要素に動作可能に結合することができる。メモリ構成要素１８１６は、構成要素１８０２〜１８０４、およびそれらのサブ構成要素、またはプロセッサ１８１０の活動を実行するための、コンピュータ可読命令とデータとを記憶するように適応され得る。メモリ構成要素１８１６は、構成要素１８０２〜１８０４に関連する機能を実行するための命令を保持し得る。メモリ１８１６の外部にあるものとして示されているが、構成要素１８０２〜１８０４はメモリ１８１６の内部に存在することができることを理解されたい。
【００７９】
[00101]図１９を参照すると、ＣＣＡのために、ｅＮＢ、フェムトアクセスポイント、もしくは他の適したエンティティとして、またはｅＮＢ、フェムトアクセスポイント、もしくは他の適したエンティティ内で使用するためのプロセッサ、構成要素、もしくは類似のデバイスとして構成され得る例示的な装置１９００が提供される。装置１９００は、プロセッサ、ソフトウェア、またはそれらの組合せ（たとえば、ファームウェア）によって実装される機能を表し得る機能ブロックを含み得る。
【００８０】
[00102]図示のように、一実施形態では、装置１９００は、少なくとも１つの移動局から、少なくとも１つの移動局からのタイミング情報を備える少なくとも１つのメッセージを受信するための電気構成要素またはモジュール１９０２を含み得る。装置１９００は、少なくとも移動局間のタイミング差を減少させることに基づいて少なくとも１つの移動局のために、受信したタイミング情報を使用して、ＣＵＢＳ送信および関連するＣＣＡウィンドウのための少なくとも１つのタイミングアドバンスパラメータを決定するための電気構成要素またはモジュール１９０４を含み得る。
【００８１】
[00103]関連する態様では、ネットワークエンティティとして構成された装置１９００の場合、装置１９００は、少なくとも１つのプロセッサを有するプロセッサ構成要素１９００を任意選択で含み得る。プロセッサ１９００は、そのような場合、バス１９１２または同様の通信結合を介して構成要素１９０２〜１９０４または同様の構成要素と動作可能に通信し得る。プロセッサ１９１０は、電気構成要素またはモジュール１９０２〜１９０４によって実行される処理または機能の起動とスケジューリングとを実施し得る。
【００８２】
[00104]さらなる関連する態様では、装置１９００は、他のネットワークエンティティと通信するためのネットワークインターフェース構成要素１９１４を含み得る。装置１９００は、たとえば、メモリデバイス／構成要素１９１６など、情報を記憶するための構成要素を任意選択で含み得る。コンピュータ可読媒体またはメモリ構成要素１９１６は、バス１９１２などを介して装置１９００の他の構成要素に動作可能に結合することができる。メモリ構成要素１９１６は、構成要素１９０２〜１９０４、およびそれらのサブ構成要素、またはプロセッサ１９１０の活動を実行するための、コンピュータ可読命令とデータとを記憶するように適応され得る。メモリ構成要素１９１６は、構成要素１９０２〜１９０４に関連する機能を実行するための命令を保持し得る。メモリ１９１６の外部にあるものとして示されているが、構成要素１９０２〜１９０４はメモリ１９１６の内部に存在することができることを理解されたい。
【００８３】
[00105]図２０を参照すると、ＣＣＡのために、ＵＥ、モバイルエンティティ、ｅＮＢ、フェムトアクセスポイント、もしくは他の適したエンティティなどのワイヤレスエンティティとして、またはＵＥ、モバイルエンティティ、ｅＮＢ、フェムトアクセスポイント、もしくは他の適したエンティティ内で使用するためのプロセッサ、構成要素、もしくは類似のデバイスとして構成され得る例示的な装置２０００が提供される。装置２０００は、プロセッサ、ソフトウェア、またはそれらの組合せ（たとえば、ファームウェア）によって実装される機能を表し得る機能ブロックを含み得る。
【００８４】
[00106]図示のように、一実施形態では、装置２０００は、ＣＣＡのために確保されたリソースでの送信のためにモニタすることのための電気構成要素またはモジュール２００２を含み得る。装置２０００は、連続したいくつかのＣＣＡ期間の間に送信を検出することに応答して、ＣＣＡのための送信およびモニタすることのためのタイミングを適合させるための電気構成要素またはモジュール２００４を含み得る。
【００８５】
[00107]関連する態様では、ネットワークエンティティとして構成された装置２０００の場合、装置２０００は、少なくとも１つのプロセッサを有するプロセッサ構成要素２０００を任意選択で含み得る。プロセッサ２０００は、そのような場合、バス２０１２または同様の通信結合を介して構成要素２００２〜２００４または同様の構成要素と動作可能に通信し得る。プロセッサ２０１０は、電気構成要素またはモジュール２００２〜２００４によって実行される処理または機能の起動とスケジューリングとを実施し得る。
【００８６】
[00108]さらなる関連する態様では、装置２０００は、他のネットワークエンティティと通信するためのネットワークインターフェース構成要素２０１４を含み得る。装置２０００は、たとえば、メモリデバイス／構成要素２０１６など、情報を記憶するための構成要素を任意選択で含み得る。コンピュータ可読媒体またはメモリ構成要素２０１６は、バス２０１２などを介して装置２０００の他の構成要素に動作可能に結合することができる。メモリ構成要素２０１６は、構成要素２００２〜２００４、およびそれらのサブ構成要素、またはプロセッサ２０１０の活動を実行するための、コンピュータ可読命令とデータとを記憶するように適応され得る。メモリ構成要素２０１６は、構成要素２００２〜２００４に関連する機能を実行するための命令を保持し得る。メモリ２０１６の外部にあるものとして示されているが、構成要素２００２〜２００４はメモリ２０１６の内部に存在することができることを理解されたい。
【００８７】
[00109]図２１を参照すると、ＣＣＡのために、ｅＮＢ、フェムトアクセスポイントなどのワイヤレスエンティティもしくは他の適したエンティティとして、またはｅＮＢ、フェムトアクセスポイント、もしくは他の適したエンティティ内で使用するためのプロセッサ、構成要素、もしくは類似のデバイスとして構成され得る例示的な装置２１００が提供される。装置２１００は、プロセッサ、ソフトウェア、またはそれらの組合せ（たとえば、ファームウェア）によって実装される機能を表し得る機能ブロックを含み得る。
【００８８】
[00110]図示のように、一実施形態では、装置２１００は、ＣＣＡ電力しきい値に基づいたＣＵＢＳ送信のためのターゲット受信電力と、近隣アクセスポイントの移動局に基づいた電力マージンとを決定するための電気構成要素またはモジュール２１０２を含み得る。装置２１００は、ＣＵＢＳ送信のために推定パスロスに応じて送信電力のスロープを決定するための電気構成要素またはモジュール２０１４を含み得る。装置２１００は、決定されたターゲット受信電力と、決定されたスロープとを移動局に送るための電気構成要素またはモジュール２１０４を含み得る。
【００８９】
[00111]関連する態様では、ネットワークエンティティとして構成された装置２１００の場合、装置２１００は、少なくとも１つのプロセッサを有するプロセッサ構成要素２１００を任意選択で含み得る。プロセッサ２１００は、そのような場合、バス２１１２または同様の通信結合を介して構成要素２１０２〜２１０６または同様の構成要素と動作可能に通信し得る。プロセッサ２１１０は、電気構成要素またはモジュール２１０２〜２１０６によって実行される処理または機能の起動とスケジューリングとを実施し得る。
【００９０】
[00112]さらなる関連する態様では、装置２１００は、他のネットワークエンティティと通信するためのネットワークインターフェース構成要素２１１４を含み得る。装置２１００は、たとえば、メモリデバイス／構成要素２１１６など、情報を記憶するための構成要素を任意選択で含み得る。コンピュータ可読媒体またはメモリ構成要素２１１６は、バス２１１２などを介して装置２１００の他の構成要素に動作可能に結合することができる。メモリ構成要素２１１６は、構成要素２１０２〜２１０６、およびそれらのサブ構成要素、またはプロセッサ２１１０の活動を実行するための、コンピュータ可読命令とデータとを記憶するように適応され得る。メモリ構成要素２１１６は、構成要素２１０２〜２１０６に関連する機能を実行するための命令を保持し得る。メモリ２１１６の外部にあるものとして示されているが、構成要素２１０２〜２１０６はメモリ２１１６の内部に存在することができることを理解されたい。
【００９１】
[00113]図２２を参照すると、ＣＣＡのために、ＵＥ、モバイルエンティティ、ｅＮＢ、フェムトアクセスポイント、もしくは他の適したエンティティなどのワイヤレスエンティティとして、またはＵＥ、モバイルエンティティ、ｅＮＢ、フェムトアクセスポイント、もしくは他の適したエンティティ内で使用するためのプロセッサ、構成要素、もしくは類似のデバイスとして構成され得る例示的な装置2200が提供される。装置２２００は、プロセッサ、ソフトウェア、またはそれらの組合せ（たとえば、ファームウェア）によって実装される機能を表し得る機能ブロックを含み得る。
【００９２】
[00114]図示のように、一実施形態では、装置２２００は、ＣＣＡのために確保されたリソースでの送信のためにモニタすることのための電気構成要素またはモジュール２２０２を含み得る。装置２２００は、モニタすることに基づいてクリアチャネルを検出することに応答して、ＣＣＡのために移動局に割り当てられたスロットでのビーコンの送信のために最大電力に調整するための電気構成要素またはモジュール２２０４を含み得る。
【００９３】
[00115]関連する態様では、ネットワークエンティティとして構成された装置２２００の場合、装置２２００は、少なくとも１つのプロセッサを有するプロセッサ構成要素２２００を任意選択で含み得る。プロセッサ２２００は、そのような場合、バス２２１２または同様の通信結合を介して構成要素２２０２〜２２０４または同様の構成要素と動作可能に通信し得る。プロセッサ２２１０は、電気構成要素またはモジュール２２０２〜２２０４によって実行される処理または機能の起動とスケジューリングとを実施し得る。
【００９４】
[00116]さらなる関連する態様では、装置２２００は、他のネットワークエンティティと通信するためのネットワークインターフェース構成要素２２１４を含み得る。装置２２００は、たとえば、メモリデバイス／構成要素２２１６など、情報を記憶するための構成要素を任意選択で含み得る。コンピュータ可読媒体またはメモリ構成要素２２１６は、バス２２１２などを介して装置２２００の他の構成要素に動作可能に結合することができる。メモリ構成要素２２１６は、構成要素２２０２〜２２０４、およびそれらのサブ構成要素、またはプロセッサ２２１０の活動を実行するための、コンピュータ可読命令とデータとを記憶するように適応され得る。メモリ構成要素２２１６は、構成要素２２０２〜２２０４に関連する機能を実行するための命令を保持し得る。メモリ２２１６の外部にあるものとして示されているが、構成要素２２０２〜２２０４はメモリ２２１６の内部に存在することができることを理解されたい。
【００９５】
[00117]図２３を参照すると、ＣＣＡのために、ＵＥ、モバイルエンティティ、ｅＮＢ、フェムトアクセスポイント、もしくは他の適したエンティティなどのワイヤレスエンティティとして、またはＵＥ、モバイルエンティティ、ｅＮＢ、フェムトアクセスポイント、もしくは他の適したエンティティ内で使用するためのプロセッサ、構成要素、もしくは類似のデバイスとして構成され得る例示的な装置２３００が提供される。装置２３００は、プロセッサ、ソフトウェア、またはそれらの組合せ（たとえば、ファームウェア）によって実装される機能を表し得る機能ブロックを含み得る。
【００９６】
[00118]図示のように、一実施形態では、装置２３００は、ＣＣＡのために確保されたリソースでの送信のためにモニタすることのための電気構成要素またはモジュール２３０２を含み得る。装置２３００は、ＣＣＡのために確保されたリソースにおける割り当てられたスロットよりも短い持続時間にわたる送信のエネルギーを検出するための電気構成要素またはモジュール２３０４を含み得る。
【００９７】
[00119]関連する態様では、ネットワークエンティティとして構成された装置２３００の場合、装置２３００は、少なくとも１つのプロセッサを有するプロセッサ構成要素２３００を任意選択で含み得る。プロセッサ２３００は、そのような場合、バス２３１２または同様の通信結合を介して構成要素２３０２〜２３０４または同様の構成要素と動作可能に通信し得る。プロセッサ２３１０は、電気構成要素またはモジュール２３０２〜２３０４によって実行される処理または機能の起動とスケジューリングとを実施し得る。
【００９８】
[00120]さらなる関連する態様では、装置２３００は、他のネットワークエンティティと通信するためのネットワークインターフェース構成要素２３１４を含み得る。装置２３００は、たとえば、メモリデバイス／構成要素２３１６など、情報を記憶するための構成要素を任意選択で含み得る。コンピュータ可読媒体またはメモリ構成要素２３１６は、バス２３１２などを介して装置２３００の他の構成要素に動作可能に結合することができる。メモリ構成要素２３１６は、構成要素２３０２〜２３０４、およびそれらのサブ構成要素、またはプロセッサ２３１０の活動を実行するための、コンピュータ可読命令とデータとを記憶するように適応され得る。メモリ構成要素２３１６は、構成要素２３０２〜２３０４に関連する機能を実行するための命令を保持し得る。構成要素２３０２〜２３０４は、メモリ２３１６の外部にあるものとして示されているが、メモリ２３１６の内部に存在し得ることを理解されたい。
【００９９】
[00121]情報および信号は様々な異なる技術および技法のいずれかを使用して表され得ることを、当業者は理解されよう。たとえば、上の説明全体を通じて参照され得るデータ、命令、コマンド、情報、信号、ビット、シンボル、およびチップは、電圧、電流、電磁波、磁場または磁気粒子、光場または光粒子、あるいはそれらの任意の組合せによって表現され得る。
【０１００】
[00122]本明細書で本開示に関連して説明した様々な例示的論理ブロック、モジュール、回路、およびアルゴリズムステップが、電子ハードウェア、コンピュータソフトウェア、または両方の組合せとして実装され得ることを当業者ならさらに理解されよう。ハードウェアとソフトウェアのこの互換性を明確に示すために、様々な例示的な構成要素、ブロック、モジュール、回路、およびステップが、概してそれらの機能に関して上で説明されている。そのような機能性がハードウェアとして実装されるか、またはソフトウェアとして実装されるかは、システム全体に課される特定のアプリケーションおよび設計制約に依存する。当業者は、説明した機能性を特定の適用例ごとに様々な方法で実装し得るが、そのような実装の決定は、本開示の範囲からの逸脱を生じるものと解釈すべきではない。
【０１０１】
[00123]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替では、プロセッサは任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアに関連する１つまたは複数のマイクロプロセッサ、または任意の他のそのような構成としても実施され得る。
【０１０２】
[00124]本明細書で開示される実施形態に関連して説明される方法またはアルゴリズムのステップは、ハードウェアで直接的に、プロセッサによって実行されるソフトウェアモジュールで、またはその２つ組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、取外し可能ディスク、ＣＤ−ＲＯＭ、または当技術分野で周知の任意の他の形態の記憶媒体内に常駐し得る。例示的記憶媒体は、プロセッサが記憶媒体から情報を読み取り、記憶媒体に情報を書き込むことができるようにプロセッサに結合される。代替として、記憶媒体は、プロセッサと一体化され得る。プロセッサおよび記憶媒体は、ＡＳＩＣ内に存在することができる。ＡＳＩＣはユーザ端末内にあり得る。代替として、プロセッサおよび記憶媒体は、ユーザ端末中の個別構成要素として存在し得る。
【０１０３】
[00125]１つまたは複数の例示的設計では、説明される機能は、ハードウェア、ソフトウェア、ファームウェア、またはそれらの任意の組合せで実装され得る。ソフトウェアで実施される場合に、機能は、コンピュータ可読媒体上の１つまたは複数の命令またはコードとして記憶されまたは伝送され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の入手可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備え得る。また、どの接続も、送信信号の非一時的記憶を伴う限り、コンピュータ可読媒体と適切に呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、任意の非一時的な期間、信号が記憶媒体またはデバイスメモリ上の送信チェーン内に保持される限り、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上の組合せも、コンピュータ可読媒体の範囲の中に含まれるべきである。
【０１０４】
[00126]本開示についての以上の説明は、いかなる当業者でも本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書に示される例および設計に限定されるものではなく、本明細書で開示される原理および新規な特徴と一致する最も広い範囲が与えられるべきである。
【図１】
2019013010.tif 000004
【図２】
2019013010.tif 000005
【図３】
2019013010.tif 000006
【図４Ａ】
2019013010.tif 000007
【図４Ｂ】
2019013010.tif 000008
【図５】
2019013010.tif 000009
【図６】
2019013010.tif 000010
【図７】
2019013010.tif 000011
【図８】
2019013010.tif 000012
【図９】
2019013010.tif 000013
【図１０】
2019013010.tif 000014
【図１１】
2019013010.tif 000015
【図１２】
2019013010.tif 000016
【図１３】
2019013010.tif 000017
【図１４】
2019013010.tif 000018
【図１５】
2019013010.tif 000019
【図１６】
2019013010.tif 000020
【図１７】
2019013010.tif 000021
【図１８】
2019013010.tif 000022
【図１９】
2019013010.tif 000023
【図２０】
2019013010.tif 000024
【図２１】
2019013010.tif 000025
【図２２】
2019013010.tif 000026
【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
ＬＴＥ−Ｕにおけるアクセスポイントのための方法であって、
複数の移動局の各々から、タイミング情報を備える少なくとも１つのメッセージを受信することと、
前記受信したタイミング情報を使用して、前記複数の移動局間のタイミング差を減少させることに基づいて、少なくとも１つの移動局のためにチャネル使用ビーコン信号（ＣＵＢＳ）送信および関連するクリアチャネルアセスメント（ＣＣＡ）ウィンドウのための少なくとも１つのタイミングアドバンスパラメータを決定することと
を備える方法。
【請求項２】
前記少なくとも１つのメッセージは、ランダムアクセスプリアンブルまたは前記タイミング情報を備える少なくとも１つのＲｘ−Ｔｘタイミング差レポートのうちの少なくとも１つを備える、
請求項１に記載の方法。
【請求項３】
ＣＵＢＳの送信タイミングは、ＰＵＳＣＨの送信タイミングとは異なり、前記方法は、
同じ移動局に少なくとも２つのタイミングアドバンスコマンドを送信することをさらに備える、
請求項１に記載の方法。
【請求項４】
ＣＵＢＳの送信タイミングは、ＰＵＳＣＨからの送信タイミングと同じである、
請求項１に記載の方法。
【請求項５】
前記アクセスポイントで、ＬＴＥ−ＵにおいてＣＣＡを実行する必要がある移動局のためにアップリンク電力制御を実行することをさらに備え、前記実行することは、
ＣＣＡ電力しきい値に基づいたＣＵＢＳ送信のためのターゲット受信電力、および近隣アクセスポイントの移動局に基づいた電力マージンを決定することと、
ＣＵＢＳ送信のために推定パスロスに応じて送信電力のスロープを決定することと、
前記決定されたターゲット受信電力、および前記決定されたスロープを前記移動局に送ることと
を備える、請求項１に記載の方法。
【請求項６】
前記電力マージンは、アンテナ利得差にパスロス差を加えたものにさらに基づく、
請求項５に記載の方法。
【請求項７】
前記スロープは、ＣＵＢＳ送信が小さいパスロスを持つ、および大きいパスロスを持つ移動局に対して同様の電力レベルを有するように決定される、
請求項５に記載の方法。
【請求項８】
前記スロープは、ＣＵＢＳ送信がより小さいパスロスを持つ移動局に対してより高い電力を有するように決定される、
請求項５に記載の方法。
【請求項９】
ＬＴＥ−Ｕにおいてタイミングアドバンスを実行するための装置であって、
複数の移動局の各々から、タイミング情報を備える少なくとも１つのメッセージを受信するための手段と、
前記受信したタイミング情報を使用して、前記複数の移動局間のタイミング差を減少させることに基づいて、少なくとも１つの移動局のためにチャネル使用ビーコン信号（ＣＵＢＳ）送信および関連するＣＣＡウィンドウのための少なくとも１つのタイミングアドバンスパラメータを決定するための手段と
を備える装置。
【請求項１０】
ＬＴＥ−ＵにおいてクリアチャネルアセスメントＣＣＡを実行する必要がある移動局のためにアップリンク電力制御を実行するための手段をさらに備え、前記実行するための手段は、
ＣＣＡ電力しきい値に基づいたＣＵＢＳ送信のためのターゲット受信電力、および近隣アクセスポイントの移動局に基づいた電力マージンを決定するための手段と、
ＣＵＢＳ送信のために推定パスロスに応じて送信電力のスロープを決定するための手段と、
前記決定されたターゲット受信電力、および前記決定されたスロープを前記移動局に送るための手段と
を備える、請求項９に記載の装置。
【請求項１１】
ＬＴＥ−Ｕにおいてタイミングアドバンスを実行するための装置であって、
複数の移動局から、タイミング情報を備える少なくとも１つのメッセージを受信するために構成された少なくとも１つのトランシーバと、
前記受信したタイミング情報を使用して、前記複数の移動局間のタイミング差を減少させることに基づいて、少なくとも１つの移動局のためにチャネル使用ビーコン信号（ＣＵＢＳ）送信および関連するＣＣＡウィンドウのための少なくとも１つのタイミングアドバンスパラメータを決定するために構成された少なくとも１つのプロセッサと、
前記少なくとも１つのプロセッサに結合された、データを記憶するためのメモリと
を備える装置。
【請求項１２】
前記少なくとも１つのプロセッサは、ＬＴＥ−ＵにおいてクリアチャネルアセスメントＣＣＡを実行する必要がある移動局のためにアップリンク電力制御を実行するためにさらに構成され、
前記アップリンク電力制御を実行するとき、前記プロセッサは、
ＣＣＡ電力しきい値に基づいたＣＵＢＳ送信のためのターゲット受信電力、および近隣アクセスポイントの移動局に基づいた電力マージンを決定することと、
ＣＵＢＳ送信のために推定パスロスに応じて送信電力のスロープを決定することと
を行うために構成される、請求項１１に記載の装置。
【請求項１３】
前記少なくとも１つのトランシーバは、前記決定されたターゲット受信電力、および前記決定されたスロープを前記移動局に送るためにさらに構成される、
請求項１２に記載の装置。
【請求項１４】
命令を記憶した非一時的コンピュータ可読媒体であって、前記命令は
アクセスポイントの少なくとも１つのコンピュータによって実行されたとき、前記少なくとも１つのアクセスポイントに、
複数の移動局の各々から、タイミング情報を備える少なくとも１つのメッセージを受信することと、
前記受信したタイミング情報を使用して、前記複数の移動局間のタイミング差を減少させることに基づいて、少なくとも１つの移動局のためにチャネル使用ビーコン信号（ＣＵＢＳ）送信および関連するＣＣＡウィンドウのための少なくとも１つのタイミングアドバンスパラメータを決定することと
を行わせる１つまたは複数の命令を備える、
非一時的コンピュータ可読媒体。
【請求項１５】
前記命令は、
前記少なくとも１つのプロセッサによって実行されたとき、前記少なくとも１つのプロセッサに、
ＣＣＡ電力しきい値に基づいたＣＵＢＳ送信のためのターゲット受信電力、および近隣アクセスポイントの移動局に基づいた電力マージンを決定することと、
ＣＵＢＳ送信のために推定パスロスに応じて送信電力のスロープを決定することと、
前記決定されたターゲット受信電力、および前記決定されたスロープを前記移動局に送ることと
を行わせる１つまたは複数の命令をさらに備える、
請求項１４に記載の非一時的コンピュータ可読媒体。
【請求項１６】
前記電力マージンは、アンテナ利得差にパスロス差を加えたものにさらに基づく、
請求項１５に記載の非一時的コンピュータ可読媒体。
【請求項１７】
前記少なくとも１つのメッセージは、ランダムアクセスプリアンブルまたは前記タイミング情報を備える少なくとも１つのＲｘ−Ｔｘタイミング差レポートのうちの少なくとも１つを備える、
請求項１４に記載の非一時的コンピュータ可読媒体。
【請求項１８】
ＣＵＢＳの送信タイミングは、ＰＵＳＣＨの送信タイミングとは異なり、
前記命令は、
前記少なくとも１つのコンピュータによって実行されたとき、前記少なくとも１つのコンピュータに、
同じ移動局に少なくとも２つのタイミングアドバンスコマンドを送信すること
を行わせる１つまたは複数の命令をさらに備える、
請求項１４に記載の非一時的コンピュータ可読媒体。
【請求項１９】
前記スロープは、ＣＵＢＳ送信が小さいパスロスを持つ、および大きいパスロスを持つ移動局に対して同様の電力レベルを有するように決定される、
請求項１０に記載の装置。
【請求項２０】
ＣＵＢＳの送信タイミングは、ＰＵＳＣＨからの送信タイミングと同じである、
請求項９に記載の装置。
【請求項２１】
前記少なくとも１つのメッセージは、ランダムアクセスプリアンブルまたは前記タイミング情報を備える少なくとも１つのＲｘ−Ｔｘタイミング差レポートのうちの少なくとも１つを備える、
請求項９に記載の装置。
【請求項２２】
ＣＵＢＳの送信タイミングは、ＰＵＳＣＨの送信タイミングとは異なる、
請求項９に記載の装置。
【請求項２３】
前記装置は、
同じ移動局に少なくとも２つのタイミングアドバンスコマンドを送信することをさらに備える、
請求項９に記載の装置。
【請求項２４】
前記スロープは、ＣＵＢＳ送信が小さいパスロスを持つ、および大きいパスロスを持つ移動局に対して同様の電力レベルを有するように決定される、
請求項１２に記載の装置。
【請求項２５】
前記少なくとも１つのメッセージは、ランダムアクセスプリアンブルまたは前記タイミング情報を備える少なくとも１つのＲｘ−Ｔｘタイミング差レポートのうちの少なくとも１つを備える、
請求項１１に記載の装置。
【請求項２６】
ＣＵＢＳの送信タイミングは、ＰＵＳＣＨからの送信タイミングと同じである、
請求項１１に記載の装置。
【請求項２７】
複数の移動局のうちの１つの移動局のための方法であって、
アクセスポイントに、タイミング情報を備える少なくとも１つのメッセージを送信することを備え、
前記複数の移動局の各々によって送信されたタイミング情報は、前記複数の移動局間のタイミング差を減少させることに基づいて、前記複数の移動局のうちの少なくとも１つの移動局のためにチャネル使用ビーコン信号（ＣＵＢＳ）送信および関連するクリアチャネルアセスメント（ＣＣＡ）ウィンドウのための少なくとも１つのタイミングアドバンスパラメータを決定するように前記アクセスポイントによって使用される、方法。
【請求項２８】
複数の移動局のうちの１つの移動局であって、
アクセスポイントに、タイミング情報を備える少なくとも１つのメッセージを送信するための手段を備え、
前記複数の移動局の各々によって送信されたタイミング情報は、前記複数の移動局間のタイミング差を減少させることに基づいて、前記複数の移動局のうちの少なくとも１つの移動局のためにチャネル使用ビーコン信号（ＣＵＢＳ）送信および関連するクリアチャネルアセスメント（ＣＣＡ）ウィンドウのための少なくとも１つのタイミングアドバンスパラメータを決定するように前記アクセスポイントによって使用される、移動局。
【請求項２９】
複数の移動局のうちの１つの移動局であって、
アクセスポイントに、タイミング情報を備える少なくとも１つのメッセージを送信することを行うように構成される少なくとも１つのトランシーバを備え、
前記複数の移動局の各々によって送信されたタイミング情報は、前記複数の移動局間のタイミング差を減少させることに基づいて、前記複数の移動局のうちの少なくとも１つの移動局のためにチャネル使用ビーコン信号（ＣＵＢＳ）送信および関連するクリアチャネルアセスメント（ＣＣＡ）ウィンドウのための少なくとも１つのタイミングアドバンスパラメータを決定するように前記アクセスポイントによって使用される、移動局。
【請求項３０】
命令を記憶した非一時的コンピュータ可読媒体であって、前記命令は
複数の移動局のうちの１つの移動局の少なくとも１つのコンピュータによって実行されたとき、前記移動局に、
アクセスポイントに、タイミング情報を備える少なくとも１つのメッセージを送信することを行うように構成される少なくとも１つのトランシーバを備え、
前記複数の移動局の各々によって送信されたタイミング情報は、前記複数の移動局間のタイミング差を減少させることに基づいて、前記複数の移動局のうちの少なくとも１つの移動局のためにチャネル使用ビーコン信号（ＣＵＢＳ）送信および関連するクリアチャネルアセスメント（ＣＣＡ）ウィンドウのための少なくとも１つのタイミングアドバンスパラメータを決定するように前記アクセスポイントによって使用される、非一時的コンピュータ可読媒体。
【手続補正２】
【補正対象書類名】明細書
【補正対象項目名】０１０４
【補正方法】変更
【補正の内容】
【０１０４】
[00126]本開示についての以上の説明は、いかなる当業者でも本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書に示される例および設計に限定されるものではなく、本明細書で開示される原理および新規な特徴と一致する最も広い範囲が与えられるべきである。
以下に、本願出願の当初の特許請求の範囲に記載された発明を付記する。
［Ｃ１］
ＬＴＥ−Ｕにおいてクリアチャネルアセスメント（ＣＣＡ）を実行するための方法であって、
ＣＣＡのために確保されたリソースでの送信のためにモニタすることと、
ＣＣＡのために確保された前記リソースにおける割り当てられたスロットよりも短い持続時間にわたる前記送信のエネルギーを検出することと
を備える方法。
［Ｃ２］
前記より短い持続時間は、前記割り当てられたスロットの両端の少なくとも１つのガード期間に基づく、
［Ｃ１］に記載の方法。
［Ｃ３］
前記モニタすることに基づいてクリアチャネルを検出することに応答して、ＣＣＡのためにワイヤレスエンティティに割り当てられたスロットでビーコンを送信すること
をさらに備える、［Ｃ１］に記載の方法。
［Ｃ４］
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
［Ｃ１］に記載の方法。
［Ｃ５］
連続した多数のＣＣＡ期間の間に前記送信を検出することに応答して、ＣＣＡのためのビーコン送信および前記モニタすることのためのタイミングを適合させること
をさらに備える、［Ｃ１］に記載の方法。
［Ｃ６］
前記ビーコン送信を適合させることは、ＣＣＡのために確保された予備リソースで前記ビーコンを送信することを備える、
［Ｃ５］に記載の方法。
［Ｃ７］
ＰＬＭＮ内ノードによるブロッキングを決定するために、検出された送信のタイミングにバイアスをかけること
をさらに備える、［Ｃ５］に記載の方法。
［Ｃ８］
前記モニタすることに基づいてクリアチャネルを検出することに応答して、ＣＣＡのために移動局に割り当てられたスロットでのビーコンの送信のために最大電力に調整することをさらに備える、
［Ｃ１］に記載の方法。
［Ｃ９］
ＬＴＥ−Ｕにおいてクリアチャネルアセスメント（ＣＣＡ）を実行するための装置であって、
ＣＣＡのために確保されたリソースでの送信のためにモニタするための手段と、
ＣＣＡのために確保された前記リソースにおける割り当てられたスロットよりも短い持続時間にわたる前記送信のエネルギーを検出するための手段と
を備える装置。
［Ｃ１０］
前記より短い持続時間は、前記割り当てられたスロットの両端の少なくとも１つのガード期間に基づいている、
［Ｃ９］に記載の装置。
［Ｃ１１］
前記モニタすることに基づいてクリアチャネルを検出することに応答して、ＣＣＡのためにワイヤレスエンティティに割り当てられたスロットでビーコンを送信するための手段をさらに備える、
［Ｃ９］に記載の装置。
［Ｃ１２］
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
［Ｃ９］に記載の装置。
［Ｃ１３］
連続したいくつかのＣＣＡ期間の間に前記送信を検出することに応答して、ＣＣＡのためのビーコン送信および前記モニタすることのためのタイミングを適合させるための手段
をさらに備える、
［Ｃ９］に記載の装置。
［Ｃ１４］
前記ビーコン送信を適合させることは、ＣＣＡのために確保された予備リソースで前記ビーコンを送信することを備える、
［Ｃ１３］に記載の装置。
［Ｃ１５］
ＰＬＭＮ内ノードによるブロッキングを決定するために、検出された送信のためのタイミングにバイアスをかけるための手段をさらに備える、
［Ｃ１３］に記載の装置。
［Ｃ１６］
前記モニタすることに基づいてクリアチャネルを検出することに応答して、ＣＣＡのために移動局に割り当てられたスロットでのビーコンの送信のために最大電力に調整するための手段をさらに備える、
［Ｃ９］に記載の装置。
［Ｃ１７］
ＬＴＥ−Ｕにおいてクリアチャネルアセスメント（ＣＣＡ）を実行するための装置であって、
ＣＣＡのために確保されたリソースでの送信をモニタするために構成された少なくとも１つのトランシーバと、
ＣＣＡのために確保された前記リソースにおける割り当てられたスロットよりも短い持続時間にわたる前記送信のエネルギーを検出するために構成された少なくとも１つのプロセッサと、
前記少なくとも１つのプロセッサに結合された、データを記憶するためのメモリと
を備える装置。
［Ｃ１８］
前記より短い持続時間は、前記割り当てられたスロットの両端の少なくとも１つのガード期間に基づいている、
［Ｃ１７］に記載の装置。
［Ｃ１９］
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
［Ｃ１７］に記載の装置。
［Ｃ２０］
前記少なくとも１つのトランシーバは、前記モニタすることに基づいてクリアチャネルを検出することに応答して、ＣＣＡのためにワイヤレスエンティティに割り当てられたスロットでビーコンを送信するためにさらに構成される、
［Ｃ１７］に記載の装置。
［Ｃ２１］
前記少なくとも１つのプロセッサは、連続したいくつかのＣＣＡ期間の間に前記送信を検出することに応答して、ＣＣＡのためのビーコン送信および前記モニタすることのためのタイミングを適合させるためにさらに構成される、
［Ｃ１７］に記載の装置。
［Ｃ２２］
前記ビーコン送信を適合させることは、ＣＣＡのために確保された予備リソースで前記ビーコンを送信することを備える、
［Ｃ２１］に記載の装置。
［Ｃ２３］
前記少なくとも１つのプロセッサは、ＰＬＭＮ内ノードによるブロッキングを決定するために検出された送信のタイミングにバイアスをかけるためにさらに構成される、
［Ｃ２１］に記載の装置。
［Ｃ２４］
前記少なくとも１つのプロセッサは、前記モニタすることに基づいてクリアチャネルを検出することに応答して、ＣＣＡのために移動局に割り当てられたスロットでのビーコンの送信のために最大電力に調整するためにさらに構成される、
［Ｃ１７］に記載の装置。
［Ｃ２５］
コンピュータプログラム製品であって、
少なくとも１つのコンピュータに、
クリアチャネルアセスメント（ＣＣＡ）のために確保されたリソースでの送信をモニタすることと、
ＣＣＡのために確保された前記リソースにおける割り当てられたスロットよりも短い持続時間にわたる前記送信のエネルギーを検出することと
を行わせるためのコードを記憶するコンピュータ可読媒体を備える、
コンピュータプログラム製品。
［Ｃ２６］
前記より短い持続時間は、前記割り当てられたスロットの両端の少なくとも１つのガード期間に基づいている、
［Ｃ２５］に記載のコンピュータプログラム製品。
［Ｃ２７］
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
［Ｃ２５］に記載のコンピュータプログラム製品。
［Ｃ２８］
前記コンピュータ可読媒体は、前記少なくとも１つのコンピュータに、
前記モニタすることに基づいてクリアチャネルを検出することに応答して、ＣＣＡのためにワイヤレスエンティティに割り当てられたスロットでビーコンを送信することを行わせるためのコードをさらに記憶する、
［Ｃ２５］に記載のコンピュータプログラム製品。
［Ｃ２９］
前記コンピュータ可読媒体は、前記少なくとも１つのコンピュータに、
前記モニタすることに基づいて連続したいくつかのＣＣＡ期間の間に前記送信を検出することに応答して、ＣＣＡのためのビーコン送信および前記モニタすることのためのタイミングを適合することを行わせるためのコードをさらに記憶する、
［Ｃ２５］に記載のコンピュータプログラム製品。
［Ｃ３０］
前記ビーコン送信を適合させることは、ＣＣＡのために確保された予備リソースで前記ビーコン送信を送信することを備える、
［Ｃ２９］に記載のコンピュータプログラム製品。
［Ｃ３１］
前記コンピュータ可読媒体は、前記少なくとも１つのコンピュータに、
ＰＬＭＮ内ノードによるブロッキングを決定するために、検出された送信のタイミングにバイアスをかけることを行わせるためのコードをさらに記憶する、
［Ｃ２５］に記載のコンピュータプログラム製品。
［Ｃ３２］
前記コンピュータ可読媒体が、前記少なくとも１つのコンピュータに、
前記モニタすることに基づいてクリアチャネルを検出することに応答して、ＣＣＡのために移動局に割り当てられたスロットでのビーコンの送信のために最大電力に調整することを行わせるためのコードをさらに記憶する、
［Ｃ２５］に記載のコンピュータプログラム製品。
［Ｃ３３］
アクセスポイントがＬＴＥ−Ｕにおいてタイミングアドバンスを実行するための方法であって、
少なくとも１つの移動局から、前記少なくとも１つの移動局からのタイミング情報を備える少なくとも１つのメッセージを受信することと、
前記受信したタイミング情報を使用して、前記少なくとも移動局間のタイミング差を減少させることに基づいて、前記少なくとも１つの移動局のためにチャネル使用ビーコン信号（ＣＵＢＳ）送信および関連するクリアチャネルアセスメント（ＣＣＡ）ウィンドウのための少なくとも１つのタイミングアドバンスパラメータを決定することと
を備える方法。
［Ｃ３４］
前記受信することは、ランダムアクセスプリアンブルを受信すること、または前記タイミング情報を備える少なくとも１つのＲｘ−Ｔｘタイミング差レポートを受信することのうちの少なくとも１つを備える、
［Ｃ３３］に記載の方法。
［Ｃ３５］
ＣＵＢＳの前記送信タイミングは、ＰＵＳＣＨの前記送信タイミングとは異なり、前記方法は、
同じ移動局に少なくとも２つのタイミングアドバンスコマンドを送信することをさらに備える、
［Ｃ３３］に記載の方法。
［Ｃ３６］
ＣＵＳＢの前記送信タイミングは、ＰＵＳＣＨからの送信タイミングと同じである、
［Ｃ３３］に記載の方法。
［Ｃ３７］
前記アクセスポイントで、ＬＴＥ−ＵにおいてＣＣＡを実行する必要がある移動局のためにアップリンク電力制御を実行することをさらに備え、前記実行することは、
ＣＣＡ電力しきい値に基づいたＣＵＢＳ送信のためのターゲット受信電力、および近隣アクセスポイントの移動局に基づいた電力マージンを決定することと、
ＣＵＢＳ送信のために推定パスロスに応じて送信電力のスロープを決定することと、
前記決定されたターゲット受信電力、および前記決定されたスロープを前記移動局に送ることと
を備える、［Ｃ３３］に記載の方法。
［Ｃ３８］
前記電力マージンは、アンテナ利得差にパスロス差を加えたものにさらに基づく、
［Ｃ３７］に記載の方法。
［Ｃ３９］
前記スロープは、ＣＵＢＳ送信が小さいパスロスを持つ、および大きいパスロスを持つ移動局に対して同様の電力レベルを有するように決定される、
［Ｃ３７］に記載の方法。
［Ｃ４０］
前記スロープは、ＣＵＢＳ送信がより小さいパスロスを持つ移動局に対してより高い電力を有するように決定される、
［Ｃ３７］に記載の方法。
［Ｃ４１］
ＬＴＥ−Ｕにおいてタイミングアドバンスを実行するための装置であって、
少なくとも１つの移動局から、前記少なくとも１つの移動局からのタイミング情報を備える少なくとも１つのメッセージを受信するための手段と、
前記受信したタイミング情報を使用して、前記少なくとも移動局間のタイミング差を減少させることに基づいて、前記少なくとも１つの移動局のためにチャネル使用ビーコン信号（ＣＵＢＳ）送信および関連するＣＣＡウィンドウのための少なくとも１つのタイミングアドバンスパラメータを決定するための手段と
を備える装置。
［Ｃ４２］
ＬＴＥ−ＵにおいてクリアチャネルアセスメントＣＣＡを実行する必要がある移動局のためにアップリンク電力制御を実行するための手段をさらに含み、前記実行するための手段は、
ＣＣＡ電力しきい値に基づいたＣＵＢＳ送信のためのターゲット受信電力、および近隣アクセスポイントの移動局に基づいた電力マージンを決定するための手段と、
ＣＵＢＳ送信のために推定パスロスに応じて送信電力のスロープを決定するための手段と、
前記決定されたターゲット受信電力、および前記決定されたスロープを前記移動局に送るための手段と
を備える、［Ｃ４１］に記載の装置。
［Ｃ４３］
ＬＴＥ−Ｕにおいてタイミングアドバンスを実行するための装置であって、
少なくとも１つの移動局から、前記少なくとも１つの移動局からのタイミング情報を備える少なくとも１つのメッセージを受信するために構成された少なくとも１つのトランシーバと、
前記受信したタイミング情報を使用して、前記少なくとも移動局間のタイミング差を減少させることに基づいて、前記少なくとも１つの移動局のためにチャネル使用ビーコン信号（ＣＵＢＳ）送信および関連するＣＣＡウィンドウのための少なくとも１つのタイミングアドバンスパラメータを決定するために構成された少なくとも１つのプロセッサと、
前記少なくとも１つのプロセッサに結合された、データを記憶するためのメモリと
を備える装置。
［Ｃ４４］
前記少なくとも１つのプロセッサは、ＬＴＥ−ＵにおいてクリアチャネルアセスメントＣＣＡを実行する必要がある移動局のためにアップリンク電力制御を実行するためにさらに構成され、前記実行することは、
ＣＣＡ電力しきい値に基づいたＣＵＢＳ送信のためのターゲット受信電力、および近隣アクセスポイントの移動局に基づいた電力マージンを決定することと、ＣＵＢＳ送信のために推定パスロスに応じて送信電力のスロープを決定することと
を備える、［Ｃ４３］に記載の装置。
［Ｃ４５］
前記少なくとも１つのトランシーバは、前記決定されたターゲット受信電力と、前記決定されたスロープとを前記移動局に送るためにさらに構成される、
［Ｃ４４］に記載の装置。
［Ｃ４６］
コンピュータプログラム製品であって、
少なくとも１つのコンピュータに、
少なくとも１つの移動局から、前記少なくとも１つの移動局からのタイミング情報を備える少なくとも１つのメッセージを受信することと、
前記受信したタイミング情報を使用して、前記少なくとも移動局間のタイミング差を減少させることに基づいて、前記少なくとも１つの移動局のためにチャネル使用ビーコン信号（ＣＵＢＳ）送信および関連するＣＣＡウィンドウのための少なくとも１つのタイミングアドバンスパラメータを決定することと
を行わせるためのコードを記憶するコンピュータ可読媒体を備える、
コンピュータプログラム製品。
［Ｃ４７］
前記コンピュータ可読媒体は、前記少なくとも１つのコンピュータに、
ＣＣＡ電力しきい値に基づいたＣＵＢＳ送信のためのターゲット受信電力、および近隣アクセスポイントの移動局に基づいた電力マージンを決定することと、
ＣＵＢＳ送信のために推定パスロスに応じて送信電力のスロープを決定することと、
前記決定されたターゲット受信電力、および前記決定されたスロープを前記移動局に送ることと
を行わせるためのコードをさらに記憶する、［Ｃ４６］に記載のコンピュータプログラム製品。
【外国語明細書】
2019013010000001.pdf